(57)【特許請求の範囲】
【請求項１】
縦長の平板状の断熱体から構成される携帯マットにおいて、
前記断熱体を構成する平板状の複数の小断熱体と、
前記小断熱体同士を連結する連結部と、
前記小断熱体の壁面の上端、下端の両端部に、表側と裏側の交互に固設された面ファスナーと、を備え、
前記断熱体を形成し連結される複数の前記小断熱体同士が、前記面ファスナーにより脱着自在に接合されることで、前記携帯マットが蛇腹状に折り畳み可能であり、且つ、
前記断熱体を構成する少なくとも一つ以上の前記小断熱体の横方向の両端に、折り畳み可能な一対の小断熱体を備えたことを特徴とする携帯マット。
【請求項２】
前記連結部が基布で構成されることを特徴とする請求項１に記載の携帯マット。
【請求項３】
縦長の平板状の断熱体から構成される携帯マットにおいて、
前記断熱体を構成する平板状の複数の小断熱体と、
前記小断熱体同士を連結する連結部と、
前記小断熱体の壁面の上端、下端の両端部に、表側と裏側の交互に固設された面ファスナーと、を備え、
前記断熱体を形成し連結される複数の前記小断熱体同士が、前記面ファスナーにより脱着自在に接合されることで、前記携帯マットが蛇腹状に折り畳み可能であり、且つ、
前記携帯マットをベルトに脱着自在に取り付けるために、前記断熱体の上端部を構成する前記小断熱体の壁面に方形の基布を備え、
前記基布の上部と下部に設けた面ファスナーを脱着自在に接合して、前記ベルトを挿通可能としたことを特徴とする携帯マット。
【請求項４】
縦長の平板状の断熱体から構成される携帯マットにおいて、
前記断熱体を構成する平板状の複数の小断熱体と、
前記小断熱体同士を連結する連結部と、
前記小断熱体の壁面の上端、下端の両端部に、表側と裏側の交互に固設された面ファスナーと、を備え、
前記断熱体を形成し連結される複数の前記小断熱体同士が、前記面ファスナーにより脱着自在に接合されることで、前記携帯マットが蛇腹状に折り畳み可能であり、且つ、
前記小断熱体の少なくとも一つの小断熱体の中央部に、ベルトが挿通可能な大きさで形成される少なくとも一対の穴を備えたことを特徴とする携帯マット。
【請求項５】
縦長の平板状の断熱体から構成される携帯マットにおいて、
前記断熱体を構成する平板状の複数の小断熱体と、
前記小断熱体同士を連結する連結部と、
前記小断熱体の壁面の上端、下端の両端部に、表側と裏側の交互に固設された面ファスナーと、を備え、
前記断熱体を形成し連結される複数の前記小断熱体同士が、前記面ファスナーにより脱着自在に接合されることで、前記携帯マットが蛇腹状に折り畳み可能であり、且つ、
前記断熱体同士を垂直方向に連結するために、前記断熱体の上端部を構成する小断熱体の上端部及び／又は下端部の水平方向に設けられる面ファスナー、又は前記断熱体の下端部を構成する小断熱体の上端部及び／又は下端部の水平方向に設けられる面ファスナーを備えたことを特徴とする携帯マット。
【請求項６】
縦長の平板状の断熱体から構成される携帯マットを備えた、リュックサック又はクーラー魚籠において、
前記携帯マットは、前記断熱体を構成する平板状の複数の小断熱体と、
前記小断熱体同士を連結する連結部と、
前記小断熱体の壁面の上端、下端の両端部に、表側と裏側の交互に固設された面ファスナーと、を備え、
前記断熱体を形成し連結される複数の前記小断熱体同士が、前記面ファスナーにより脱着自在に接合されることで、前記携帯マットが蛇腹状に折り畳み可能であることを特徴とするリュックサック又はクーラー魚籠。
【請求項７】
請求項１乃至５のうちいずれか一項に記載の携帯マットを備えた、リュックサック又はクーラー魚籠。
【発明の詳細な説明】
【技術分野】
【０００１】
本発明は、携帯用のマットに関する
【背景技術】
【０００２】
従来の携帯用のマットは、複数のマットから構成され、端部のマットに取っ手が設けられ、折り畳まれた状態のマットを巻き紐で締めつけて携行しやすくしたものがあった。
【０００３】
又、座布団などの断熱体が臀部を覆う程度の一定の大きさで形成され、断熱体の上端部に紐、ベルトなどが設けられ、座布団などの断熱体を臀部に当てた状態で、紐、ベルトなどを腰に取り付けて使用し、それ以上の範囲で人体を覆う場合は座布団などの断熱体に設けられたポケット部に収納された合羽等で人体を覆うことができた。
【先行技術文献】
【特許文献】
【０００４】
【特許文献１】実用新案公開平６−２１４５１
【特許文献２】特開平９−１８７３５０号公報
【特許文献３】特開２００４−１７３５１７号公報
【発明の概要】
【発明が解決しようとする課題】
【０００５】
しかしながら、以上の技術によれば、野外に於いて行動中に携帯用のマットを使用する場合、複数の巻き紐、又はベルトを外して断熱体を広げ、収納袋、又はポケット部から断熱体を取り出すなどの煩雑な行為を伴った。
又、それらの断熱体を縮小、収納して携行する場合は、携行に適する大きさにするために、複数の巻き紐、ベルトで締めつけ、別の収納袋に入れる、又はポケットに折り畳んで収納するなどの煩雑な行為を行わなければならかった。特に登山、災害時など、緊急な行動を伴う場合はこれらの行為は適さなかった。
【０００６】
そこで、この発明は、野外に於いて行動中、又は災害時などの緊急時に於いて携帯用マットを使用する場合、煩雑な行為を伴わなくとも敏速に断熱体を拡張して使用することができ、煩雑な行為を行わなくとも敏速に断熱体を縮小して携行することができる携帯マットを提供することを課題とする。
【課題を解決するための手段】
【０００７】
上記目的を達成するために、第一発明は、縦長の平板状の断熱体から構成される携帯マットにおいて、前記断熱体を構成する平板状の複数の小断熱体と、前記小断熱体同士を連結する連結部と、前記小断熱体の壁面の上端、下端の両端部に、表側と裏側の交互に固設された面ファスナーと、を備え、前記断熱体を形成し連結される複数の前記小断熱体同士が、前記面ファスナーにより脱着自在に接合されることで、前記携帯マットが蛇腹状に折り畳み可能であり、且つ、前記断熱体を構成する少なくとも一つ以上の前記小断熱体の横方向の両端に、折り畳み可能な一対の小断熱体を備えたことを特徴とする携帯マットである。
【０００８】
第二発明は、前記連結部が基布で構成されることを特徴とする携帯マットである。
【０００９】
第三発明は、縦長の平板状の断熱体から構成される携帯マットにおいて、前記断熱体を構成する平板状の複数の小断熱体と、前記小断熱体同士を連結する連結部と、前記小断熱体の壁面の上端、下端の両端部に、表側と裏側の交互に固設された面ファスナーと、を備え、前記断熱体を形成し連結される複数の前記小断熱体同士が、前記面ファスナーにより脱着自在に接合されることで、前記携帯マットが蛇腹状に折り畳み可能であり、且つ、前記携帯マットをベルトに脱着自在に取り付けるために、前記断熱体の上端部を構成する前記小断熱体の壁面に設けられる方形の基布を備え、前記基布の上部と下部に設けられる前記面ファスナーが脱着自在に接合して、ベルトを挿通可能としたことを特徴とする携帯マットである。
【００１０】
第四発明は、縦長の平板状の断熱体から構成される携帯マットにおいて、前記断熱体を構成する平板状の複数の小断熱体と、前記小断熱体同士を連結する連結部と、前記小断熱体の壁面の上端、下端の両端部に、表側と裏側の交互に固設された面ファスナーと、を備え、前記断熱体を形成し連結される複数の前記小断熱体同士が、前記面ファスナーにより脱着自在に接合されることで、携帯マットが蛇腹状に折り畳み可能であり、且つ、前記小断熱体の少なくとも一つの小断熱体の中央部に、ベルトが挿通可能な大きさで形成される少なくとも一対の穴を備えたことを特徴とする携帯マットである。
【００１１】
第五発明は、縦長の平板状の断熱体から構成される携帯マットにおいて、前記断熱体を構成する平板状の複数の小断熱体と、前記小断熱体同士を連結する連結部と、前記小断熱体の壁面の上端、下端の両端部に、表側と裏側の交互に固設された面ファスナーと、を備え、前記断熱体を形成し連結される複数の前記小断熱体同士が、前記面ファスナーにより脱着自在に接合されることで、前記携帯マットが蛇腹状に折り畳み可能であり、且つ、前記断熱体同士を垂直方向に連結するために、前記断熱体の上端部を構成する小断熱体の上端部及び／又は下端部の水平方向に設けられる面ファスナー、又は前記断熱体の下端部を構成する小断熱体の上端部及び／又は下端部の水平方向に設けられる面ファスナーを備えたことを特徴とする携帯マットである。
【００１７】
第六発明は、縦長の平板状の断熱体から構成される携帯マットを備えた、リュックサック又はクーラー魚籠において、前記携帯マットは、前記断熱体を構成する平板状の複数の小断熱体と、前記小断熱体同士を連結する連結部と、前記小断熱体の壁面の上端、下端の両端部に、表側と裏側の交互に固設された面ファスナと、を備え、前記断熱体を形成し連結される複数の前記小断熱体同士が、前記面ファスナーにより脱着自在に接合されることで、前記携帯マットが蛇腹状に折り畳み可能であることを特徴とするリュックサック又はクーラー魚籠である。
第七発明は、請求項１乃至５のうちいずれか一項に記載の携帯マットを備えた、リュックサック又はクーラー魚籠である。
【発明の効果】
【００１８】
以上の説明から明らかなように、本発明にあっては次に列挙する効果が得られる。
第一発明によれば、携帯マットを構成する縦長の平板状の断熱体は、平板状の複数の小断熱体から構成され、これら複数の小断熱体同士が連結される連結部が設けられ、複数の小断熱体に面ファスナーが備えられるので、断熱体が蛇腹状に折り畳まれた場合に、複数の小断熱体同士が脱着自在である。
【００１９】
そのため、断熱体を自在に折り畳んだ状態でそのまま固定でき、断熱体の縮小、拡張を自由な大きさにすることが容易であり、断熱体の断熱効果、又はクッション性を自在に可変させ、固定化することができる。断熱体が蛇腹状に全部折りたたまれた場合に、小断熱体同士が合わされ、断熱体の高さが、小断熱体の高さと同じ高さまで縮小させて、固定することができる。
【００２０】
更に、縦長の平板状の断熱体を構成する少なくとも一つ以上の平板状の小断熱体の横方向の両端に、折り畳み可能な一対の小断熱体を備えたので、横方向の拡張が自在となった。
【００２１】
第二発明によれば、複数の小断熱体同士を連結する連結部が基布で構成され、複数の小断
熱体の片面、又は両面に基布を固設することができるので、断熱体のクッション性を変え
ることができるのと同時に、携帯マットを地面に敷いた場合に、突起物などからの破損を
防ぎ、断熱体の耐久性を増やすので、携帯マットの堅牢性が増す。
【００２２】
第三発明によれば、断熱体の上端部を構成する小断熱体の壁面に方形の基布を設け、この
基布の上部と下部に面ファスナーを設けたので、ベルトのどの部分からでも携帯マットを
脱着自在にベルトを取り付けることができ、基布の上部と下部に設けられた面ファスナー
の接合する位置によって基布の縦の長さを変えることができる。
【００２３】
第四発明によれば、断熱体を構成する複数の小断熱体のうち少なくとも一つの小断熱体の
中央部に、ベルトが容易に通される大きさで少なくとも一対の穴が形成され、携帯マットを構成する断熱体を他のベルトに固定することができるので、このベルトを用いて携帯マットを人体に取付けることができる。
【００２５】
第五発明によれば、断熱体の上端部を構成する小断熱体の上端部及び／又は下端部の水平
方向に設けられる面ファスナー、又は前記断熱体の下端部を構成する小断熱体の上端部及
び／又は下端部の水平方向に設けられる面ファスナーを備えたので、携帯マット同士を垂
直方向に、脱着自在に連結することができ、目的に応じて異なる構成要素の携帯マットを
垂直方向に脱着自在に組み合わせることができる。
【００３４】
第六発明によれば、リュックサック並びにクーラー魚籠に携帯マットを備えたので、リュックサックに備えられた携帯マットは登山用、又は防災用として使用することができ、クーラー魚籠に備えられた携帯マットは人体の熱とクーラー魚籠との断熱として、又は尻当てとして使用することができる。
第七発明によっても、リュックサック並びにクーラー魚籠に携帯マットを備えたので、リュックサックに備えられた携帯マットは登山用、又は防災用として使用することができ、クーラー魚籠に備えられた携帯マットは人体の熱とクーラー魚籠との断熱として、又は尻当てとして使用することができる。
【図面の簡単な説明】
【００３５】
【図１】本発明の第一実施形態を示す携帯マットが折り畳まれる途中の斜視図
【図２】本発明の第一実施形態を示す携帯マットが折り畳まれる途中の側面図
【図３】本発明の第二実施形態を示す携帯マットが折り畳まれる途中の斜視図
【図４】本発明の第二実施形態を示す携帯マットの使用状態を示す斜視図
【図５】本発明の第三実施形態を示す携帯マットの展開された（ａ）平面図          （ｂ）Ｘ−Ｘ断面図          （ｃ）Ｙ−Ｙ断面図
【図６】本発明の第四実施形態を示す携帯マットの展開された断面図
【図７】本発明の第五実施形態を示す携帯マットの展開された側面図
【図８】本発明の第六実施形態を示す携帯マットが折り畳まれる途中の斜視図
【図９】本発明の第六実施形態を示す携帯マットの折り畳まれる途中の側面図
【図１０】本発明の第六実施形態を示す携帯マットの使用状態を示す斜視図
【図１１】本発明の第七実施形態を示す携帯マットが折畳まれる途中の斜視図
【図１２】本発明の第八実施形態を示す携帯マットの展開された平面図
【図１３】本発明の第九実施形態を示す携帯マットの展開された平面図
【図１４】本発明の第十実施形態を示す携帯マットの展開された平面図
【図１５】本発明の第十一実施形態を示す携帯マットの展開された平面図
【図１６】本発明の第十一実施形態を示す携帯マットが折り畳まれた斜視図
【図１７】本発明の第十一実施形態を示す携帯マットが連結された状態の斜視図
【図１８】本発明の第十二実施形態を示す携帯マットの展開された平面図
【図１９】本発明の第十二実施形態を示す携帯マットの斜視図
【図２０】本発明の第十三実施形態を示す携帯マットの展開された平面図
【図２１】本発明の第十四実施形態を示す携帯マットの展開された平面図
【図２２】本発明の第十四実施形態を示す携帯マットが折畳まれる途中の斜視図
【図２３】本発明の第十四実施形態を示す携帯マットが折畳まれた斜視図
【図２４】本発明の第十五実施形態を示す携帯マットが折畳まれる途中の斜視図
【図２５】本発明の第十六実施形態を示す携帯マットの展開された平面図
【図２６】本発明の第十六実施形態を示す携帯マットが折畳まれる途中の斜視図
【図２７】本発明の第十六実施形態を示す携帯マットが折畳まれる途中の側面図
【図２８】本発明の第十七実施形態を示す携帯マットが展開された平面図
【図２９】本発明の第十七実施形態を示す携帯マットが折畳まれる途中の斜視図
【図３０】本発明の第十七実施形態を示す携帯マットの使用状態を示す斜視図
【図３１】本発明の第十七実施形態を示す携帯マットの使用状態を示す斜視図
【図３２】本発明の第十八実施形態を示す携帯マットの使用状態を示す側面図
【図３３】本発明の第十八実施形態を示す携帯マットの使用状態を示す側面図
【図３４】本発明の第十九実施形態を示す携帯マットの使用状態を示す側面図
【図３５】本発明の第二十実施形態を示す携帯マットの使用状態を示す側面図
【図３６】本発明の第二十一実施形態を示す携帯マットの使用状態を示す側面図
【図３７】本発明の第二十二実施形態を示す携帯マットの使用状態を示す側面図
【図３８】本発明の第二十三実施形態を示す携帯マットの使用状態を示す側面図
【図３９】本発明の第二十三実施形態を示す携帯マットの使用状態を示す平面図
【図４０】本発明の第二十四実施形態を示す携帯マットの使用状態を示す側面図
【図４１】本発明の第二十四実施形態を示す携帯マットが展開された平面図
【図４２】本発明の第二十五実施形態を示す携帯マットの使用状態を示す側面図。
【図４３】本発明の第二十六実施形態を示す携帯マットの使用状態を示す斜視図
【図４４】本発明の第二十六実施形態を示す携帯マットの使用状態を示す側面図
【図４５】本発明の第二十七実施形態を示す携帯マットの使用状態を示す側面図
【図４６】本発明の第二十八実施形態を示す携帯マットの使用状態を示す側面図
【図４７】本発明の第二十九実施形態を示す携帯マットの使用状態を示す側面図
【図４８】本発明の第三十実施形態を示す携帯マットの使用状態を示す側面図
【図４９】本発明の第三十一実施形態を示す携帯マットの使用状態を示す側面図
【図５０】本発明の第三十二実施形態を示す携帯マットの使用状態を示す側面図
【図５１】本発明の第三十三実施形態を示す携帯マットの使用状態を示す側面図
【図５２】本発明の第三十四実施形態を示す携帯マットの使用状態を示す斜視図
【図５３】本発明の第三十四実施形態を示す携帯マットの使用状態を示す側面図
【図５４】本発明の第三十五実施形態を示す携帯マットの使用状態を示す側面図
【図５５】本発明の第三十六実施形態を示す携帯マットの使用状態を示す斜視図
【図５６】本発明の第三十六実施形態を示す携帯マットの使用状態を示す側面図
【図５７】本発明の第三十七実施形態を示す携帯マットの使用状態を示す斜視図
【図５８】本発明の第三十七実施形態を示す携帯マットが展開された平面図
【図５９】本発明の第三十八実施形態を示す携帯マットの使用状態を示す斜視図
【図６０】本発明の第三十八実施形態を示す携帯マットが展開された平面図
【図６１】本発明の第三十九実施形態を示す携帯マットが展開された平面図
【図６２】本発明の第三十九実施形態を示す携帯マットの使用状態を示す斜視図
【図６３】本発明の第四十実施形態を示す携帯マットの使用状態を示す斜視図
【図６４】本発明の第四十一実施形態を示す携帯マットが展開された平面図
【図６５】本発明の第四十一実施形態を示す携帯マットが展開された側面図
【図６６】他の実施形態を示す携帯マットが展開された平面図
【発明を実施するための形態】
【実施例１】
【００３６】
この発明の第一実施形態を、図１、図２に示す。
図１は、この発明の第一実施形態を示す携帯マット１Ａの斜視図、図２は第一実施形態を示す携帯マット１Ａの側面図である。
図１、図２に示すように、携帯マット１Ａは縦長の平板状の断熱体２Ａから構成され、断熱体２Ａは発泡ポリエチレン、高密度ポリエチレンフォーム、発泡ウレタンなどの高密度発泡体、又は発泡ゴムの断熱素材で形成され、複数の横長の長方形平板状の小断熱体２（２ａ）と連結部Ｒ（Ｒａ）から形成される。
【００３７】
断熱体２Ａは、小断熱体２（２ａ）が縦方向に折れ曲がり、小断熱体２（２ａ）の壁面同士が接触することができる程度に薄肉を残して、断熱体２Ａの壁面の表側と裏側から水平方向に交互に同じ高さで、一定の切り込み３をされることにより、複数の小断熱体２（２ａ）が形成され、複数の小断熱体２（２ａ）同士が連結される小口の端部の表側と裏側の交互の位置に連結部Ｒ（Ｒａ）が形成される。
【００３８】
これら連結部Ｒ（Ｒａ）により複数の小断熱体２（２ａ）同士が縦方向に連結され、断熱体２Ａが縦方向の蛇腹状に折り畳まれた場合に、小断熱体２（２ａ）同士の壁面が合わされる壁面の上端、下端の両端部に方形の面ファスナー４ａと面ファスナー４ｂが接着剤、又は高周波ウエルダーにより表側と裏側の交互に固設され、面ファスナー４ａと面ファスナー４ｂが接合され、断熱体２Ａを形成し連結される複数の小断熱体２（２ａ）同士が脱着自在に接合されることで、携帯マット１Ａが蛇腹状に折り畳まれる。
【実施例２】
【００３９】
この発明の第二実施形態を、図３、図４に示す。
図３は、この発明の第二実施形態の携帯マット１Ａｂを示す斜視図、図４は第二実施形態を示す携帯マット１Ａｂが人体の腰部に取り付けられた使用状態を示す斜視図である。
【００４０】
図３に示すように、携帯マット１Ａｂは縦長の平板状の断熱体２Ａ（２Ａｂ）から構成され、断熱体２Ａ（２Ａｂ）は断熱体２Ａ（２Ａｂ）の上端部を形成し、中央部に一対の縦長状の穴ｎａが形成される横長の長方形平板状の小断熱体２（２ａｂ）と、横長の長方形平板状の複数の小断熱体２（２ａ）と、これら小断熱体２（２ａ、２ａｂ）を連結する連結部Ｒ（Ｒａ）から形成される。
【００４１】
小断熱体２（２ａｂ）が縦方向に折れ曲がり、連結される小断熱体２（２ａ）の壁面と接触することができる程度に薄肉を残して、断熱体２Ａ（２Ａｂ）の壁面の水平方向に、一定の切り込み３がされることにより、小断熱体２（２ａｂ）が形成され、同時に小断熱体２（２ａｂ）と小断熱体２（２ａ）の間に連結部Ｒ（Ｒａ）が形成され、小断熱体２（２ａｂ）と小断熱体２（２ａ）が縦方向に連結される。
【００４２】
断熱体２Ａ（２Ａｂ）の上端部を形成する小断熱体２（２ａｂ）の壁面の上端部の両端部に方形の面ファスナー４ａが接着剤、又は高周波ウエルダーで固設され、連結される小断熱体２（２ａ）の下端部の両端部に面ファスナー４ｂが固設され、連結される小断熱体２（２ａ）と小断熱体２（２ａｂ）は脱着自在に接合され、断熱体２Ａ（２Ａｂ）を形成し連結される複数の小断熱体２（２ａ、２ａｂ）同士が脱着自在に接合されることで、携帯マット１Ａｂが蛇腹状に折り畳まれる。
【００４３】
携帯マット１Ａｂは、断熱体２Ａ（２Ａｂ）の上端部を形成する小断熱体２（２ａｂ）の中央部に形成された一対の縦長状の穴ｎａに人体の腰部に取りけることができる程度に形成されたベルト５が通され、図４に示すように、人体に携帯マット１Ａｂが取り付けられ、断熱体２Ａ（２Ａｂ）が全て縦方向に蛇腹状に折り畳まれた状態で携行される。携帯マット１Ａｂの他の実施形態は、第一実施形態における携帯マット１Ａと全く同じである。
【実施例３】
【００４４】
この発明の第三実施形態を、図５に示す。
図５は、この発明の第二実施形態を示す携帯マット１Ｂの（ａ）平面図、（ｂ）Ｘ−Ｘ断面図、（ｃ）Ｙ−Ｙ断面図である。
図５（a）に示すように、携帯マット１Ｂは縦長の平板状の断熱体２Ｂから構成され、断熱体２Ｂはポリ塩化ポリエステル、ポリエステル、ナイロンなどのシート素材からインフレータブルなどの中空構造に形成された断熱材、又はこの断熱材の中空に芯材としてポリウレタン、ＴＰＵフォームなどの発泡体が挿入される断熱材で形成され、複数の横長の長方形平板状の中空構造の小断熱体２（２ｂ）と連結部Ｒ（Ｒｂ）から形成される。
【００４５】
表側と裏側の二枚のシート素材が縦長の長方形に形成され、その縁部が圧着されることで形成される断熱体２Ｂは、図５（ａ）（ｂ）に示すように、平板状の表側と裏側の二枚のシート素材の被膜が水平方向に同じ縦方向の間隔を置いて、圧着されることで複数の連結部Ｒ（Ｒｂ）が形成され、図５（ｃ）に示すように、少なくとも断熱体２Ｂよりも狭い横幅で左右に均等な隙間を残した状態で圧着されることで、連結部Ｒ（Ｒｂ）の両端に空気通路６が形成され、同時に複数の平板状の中空構造の小断熱体２（２ｂ）が形成され、これら複数の小断熱体２（２ｂ）が連結部Ｒ（Ｒｂ）により連結される。
【００４６】
断熱体２Ｂが蛇腹状に折り畳まれた場合に、断熱体２Ｂの中空に複数の小断熱体２（２ｂ）同士の壁面が合わされる程度の空気が断熱体２Ｂの上端に設けられる空気栓７から各空気通路６を通じて充填され、連結部Ｒ（Ｒｂ）は、小断熱体２（２ｂ）同士の壁面が合わされる程度の縦幅で形成される。
【００４７】
断熱体２Ｂが蛇腹状に折り畳まれた場合に、平板状の断熱体２Ｂの中空に小断熱体２（２ｂ）同士の壁面が合わされる程度の空気が充填され、複数の平板状の小断熱体２（２ｂ）同士の壁面が合わされる壁面の上下の両端部に方形の面ファスナー４ａと方形の面ファスナー４ｂが接着剤、又は高周波ウエルダーにより表側と裏側の交互に固設され、面ファスナー４ａと面ファスナー４ｂが接合され、断熱体２Ｂを形成し連結される複数の小断熱体２（２ｂ）同士が脱着自在に接合され、携帯マット１Ｂが蛇腹状に折り畳まれる。
【００４８】
縦長の長方形平板状の断熱体２Ｂの中空に小断熱体２（２ｂ）同士の壁面が合わされる程度の空気が充填された断熱体２Ｂが蛇腹状に全部折りたたまれた場合に、複数の横長の長方形平板状の小断熱体２（２ｂ）の壁面同士が合わされ、断熱体２Ｂの高さが、小断熱体２（２ｂ）の高さと同じ高さまで縮小することができ、空気栓７から空気が抜かれると、複数の小断熱体２（２ｂ）の厚みが表側と裏側のシート素材の厚さまで薄くなり、同時に断熱体２Ｂの厚みも薄くなった状態で固定される。
【実施例４】
【００４９】
この発明の第四実施形態を、図６に示す。図６は携帯マット１Ｃを示す断面図である。
図６に示すように、携帯マット１Ｃは縦長の長方形平板状の断熱体２Ｃから構成され、断熱体２Ｃは複数の横長の長方形平板状の小断熱体２（２ｃ）と連結部Ｒ（Ｒｃ）から形成される。断熱体２Ｃは基布８が縫製などで縦長の長方形状の袋体に形成され、この袋体の開口部から横長の長方形平板状の複数の発泡体が挿入され、これら複数の発泡体の間の袋体の表裏の基布８が縫合されることで複数の小断熱体２（２ｃ）に形成される。
【００５０】
この場合、これら複数の小断熱体２（２ｃ）が縦方向に折り畳まれ、複数の小断熱体２（２ｃ）同士の間に小断熱体２（２ｃ）の壁面が合わされる程度の隙間９が保たれた状態で、複数の発泡体同士の間の基布８が縫製などで縫合されることで複数の小断熱体２（２ｃ）と連結部Ｒ（Ｒｃ）が同時に形成され、開口部が縫製され、袋体が閉じられることで、基布８が長方形平板状に縫合された断熱体２Ｃが形成される。
【００５１】
断熱体２Ｃが縦方向の蛇腹状に折り畳まれた場合に、小断熱体２（２ｃ）同士の壁面が合わされる壁面の上下の両端部に方形の面ファスナー４ａと面ファスナー４ｂが接着剤、又は高周波ウエルダーで表側と裏側の交互に固設され、面ファスナー４ａと面ファスナー４ｂが接合され、断熱体２Ｃを形成し連結される複数の小断熱体２（２ｃ）同士が脱着自在に接合され、携帯マット１Ｃが蛇腹状に折り畳まれる。
【実施例５】
【００５２】
この発明の第五実施形態を、図７に示す。図７は携帯マット１Ｄを示す側面図である。
図７に示すように、携帯マット１Ｄは縦長の長方形平板状の断熱体２Ｄから構成され、断熱体２Ｄはポリエステルなどのメッシュ素材から形成された断熱材で、複数の横長の長方形平板状の小断熱体２（２ｄ）と連結部Ｒ（Ｒｄ）から形成される。
【００５３】
長方形平板状の断熱体２Ｄを形成する複数の横長の長方形平板状の小断熱体２（２ｄ）の下端小口と、複数の小断熱体２（２ｄ）の上端小口が合わされ、表側と裏側の交互に、小断熱体２（２ｄ）の壁面の下端の水平方向の長手方向と、連結される小断熱体２（２ｄ）の壁面の上端の水平方向の長手方向に沿って、長方形の基布８が接着剤などで固設されることで、連結部Ｒ（Ｒｄ）が形成され、複数の小断熱体２（２ｄ）同士が連結されることでメッシュ素材の断熱体２Ｄが形成される。
【００５４】
断熱体２Ｄが蛇腹状に折り畳まれた場合に、小断熱体２（２ｄ）同士の壁面が合わされる壁面の上部下部の両端部に方形の面ファスナー４ａと方形の面ファスナー４ｂが接着剤などにより表側と裏側の交互に固設され、複数の小断熱体２（２ｄ）が脱着自在に接合されることで携帯マット１Ｄが蛇腹状に折り畳まれる。
【実施例６】
【００５５】
この発明の第六実施形態を、図８、図９、図１０に示す。
図８は、この発明の第六実施形態を示す携帯マット１Ｅの斜視図、図９は携帯マット１Ｅの側面図、図１０は携帯マット１Ｅが人体の腰部に取り付けられた状態を示す使用状態を示す斜視図である。
【００５６】
図８に示すように、携帯マット１Ｅは縦長の平板状の断熱体２Ｅから構成され、発泡ポリエチレン、高密度ポリエチレンフォーム、発泡ウレタンなどの高密度発泡体、又は発泡ゴムの断熱素材で形成され、断熱体２Ｅの上端部を形成する横長の長方形平板状の小断熱体２（２ｅｂ）とこの小断熱体２（２ｅｂ）と連結される複数の横長の長方形平板状の小断熱体２（２ｅ）と基布８と連結部Ｒ（Ｒｄ）から形成される。
【００５７】
断熱体２Ｅは、上部と下部の断熱体から構成され、上部の断熱体は断熱体２Ｅの上端部を形成し中央部に一対の縦長状の穴ｎａが形成される横長の長方形平板状の小断熱体２（２ｅｂ）と横長の長方形平板状の小断熱体２（２ｅ）が連結され、下部の断熱体は一対の横長の長方形平板状の小断熱体２（２ｅ）が連結され、上部の断熱体と下部の断熱体が連結されることで形成される。
【００５８】
図９に示すように、断熱体２Ｅの上部を構成する断熱体は、断熱体２Ｅの上端部を形成する小断熱体２（２ｅｂ）の下端小口と、この小断熱体２（２ｅｂ）と連結される小断熱体２（２ｅ）の上端小口が合わされた状態で、ナイロン、又はアラミド繊維などのポリアミド系繊維で織られた基布８が二枚の小断熱体２（２ｅｂ、２ｅ）の裏側の全壁面に接着材などで固設され、同時に、二枚の小断熱体２（２ｅｂ、２ｅ）の間に連結部Ｒ（Ｒｄ）が形成され、二枚の小断熱体２（２ｅｂ、２ｅ）が連結される。
【００５９】
断熱体２Ｅの下部を構成する断熱体は、二枚の小断熱体２（２ｅ、２ｅ）の下端小口と上端小口が合わされた状態で、ナイロン、又はアラミド繊維などのポリアミド系繊維で織られた基布８が二枚の小断熱体２（２ｅ、２ｅ）の裏側の全壁面に接着材などで固設され、同時に、二枚の小断熱体２（２ｅ、２ｅ）の間に連結部Ｒ（Ｒｄ）が形成され、二枚の小断熱体２（２ｅ、２ｅ）が連結される。
【００６０】
断熱体２Ｅの上部を構成する断熱体の小断熱体２（２ｅｂ、２ｅ）の下部を形成する小断熱体２（２ｅ）の下端小口と、断熱体２Ｅの下部を構成する断熱体の小断熱体２（２ｅ、２ｅ）の上部を形成する小断熱体２（２ｅ）の上端小口が合わされ、  断熱体２Ｅの上部を構成する断熱体の小断熱体２（２ｅｂ、２ｅ）の下部を形成する小断熱体２（２ｅ）の表側の下端の水平方向と断熱体２Ｅの下部を構成する断熱体の小断熱体２（２ｅ、２ｅ）の上部を形成する小断熱体２（２ｅ）の表側の上端の水平方向にナイロン、又はアラミド繊維などのポリアミド系繊維で織られた長方形の基布８が固設され、連結部Ｒ（Ｒｄ）が形成されることで断熱体２Ｅの上部を構成する断熱体の小断熱体２（２ｅｂ、２ｅ）と断熱体２Ｅの下部を構成する断熱体の小断熱体２（２ｅ、２ｅ）が連結され、断熱体２Ｅが形成される。
【００６１】
図９に示すように、断熱体２Ｅが縦方向の蛇腹状に折り畳まれた場合に、断熱体２Ｅの上端部を形成する小断熱体２（２ｅｂ）の壁面の上端部の水平方向の長手方向に面ファスナー４ｃが固設され、小断熱体２（２ｅｂ）と連結される小断熱体２（２ｅ）の壁面の下端部の水平方向の長手方向に沿って面ファスナー４ｄが固設される。
【００６２】
さらに、複数の小断熱体２（２ｅ）同士の壁面が合わされる壁面の上端、又は下端部の水平方向の長手方向に沿って面ファスナー４ｃと面ファスナー４ｄが接着剤、又は高周波ウエルダーにより表側と裏側の交互に固設され、面ファスナー４ｃと面ファスナー４ｄが接合され、断熱体２Ｅを形成し連結される複数の小断熱体２（２ｅｂ、ｅ）同士が脱着自在に接合されることで、携帯マット１Ｅが蛇腹状に折り畳まれる。
【００６３】
図１０に示すように、断熱体２Ｅが蛇腹状に折り畳まれ、複数の小断熱体２（２ｅ）の壁面に固設される面ファスナー４ｃと面ファスナー４ｄが接合され、複数の小断熱体２（２ｅ、２ｅｂ）同士が脱着自在に接合され、断熱体２Ｅは形態を様々な状態で固定され、断熱体２Ｅの上端部を構成する小断熱体２（２ｅｂ）の中央部に形成された縦長状の一対の穴ｎａにベルト５が挿入されて人体に携帯マット１Ｅが取り付けられる。
【実施例７】
【００６４】
この発明の第七実施形態を、図１１に示す。図１１はこの発明の第七実施形態を示す携帯マット１Ｆの斜視図である。
図１１に示すように、携帯マット１Ｆは縦長の平板状の断熱体２Ｆとベルト５から構成され、断熱体２Ｆは発泡ポリエチレン、高密度ポリエチレンフォーム、発泡ウレタンなどの高密度発泡体、又は発泡ゴムの断熱素材で形成され、複数の横長の長方形平板状の小断熱体２（２ｆ）と連結部Ｒ（Ｒａ）から形成される。
【００６５】
断熱体２Ｆの壁面の内側と外側から水平方向に交互に同じ高さで、小断熱体２（２ｆ）が垂直方向に折れ曲がり、小断熱体２（２ｆ）同士の壁面同士が接触することができる程度に薄肉を残して一定の切り込み３をされることにより、複数の小断熱体２（２ｆ）が形成される。
【００６６】
断熱体２Ｆを形成する複数の小断熱体２（２ｆ）の壁面の中央部に一対の穴ｎａが設けられる。これらの穴ｎａは、腰部に取り付けられることができる程度の一定の長さに形成され、両端部にバックルＢＫが設けられるベルト５のバックルＢＫが容易に通される程度の大きさで縦長状に形成される。
【００６７】
断熱体２Ｆの壁面が内側と外側から交互に水平方向に端部に薄肉を残して切り込み３をされることで、小断熱体２（２ｆ）同士が連結される小口の端部の内側と外側の交互の位置に連結部Ｒ（Ｒａ）が形成される。これら連結部Ｒ（Ｒａ）により複数の小断熱体２（２ｆ）が連結されることで断熱体２Ｆが形成される。
【００６８】
断熱体２Ｆの下端部を形成する小断熱体２（２ｆ）に設けられるベルト５及びベルト５の両端に設けられるバックルＢＫが複数の小断熱体２（２ｆ）に設けられた全ての一対の穴ｎａにそれぞれ通されて腰部にベルト５が取り付けられることで人体に携帯マット１Ｆが取り付けられる。
【実施例８】
【００６９】
この発明の第八実施形態を、図１２に示す。図１２はこの発明の第八実施形態を示す携帯マット１Ｇの平面図である。
図１２に示すように、携帯マット１Ｇは縦長の平板状の断熱体２Ｇとベルト５から構成され、断熱体２Ｇはポリ塩化ポリエステル、ポリエステル、ナイロンなどのシート素材からインフレータブルなどの中空構造に形成された断熱材、又はこの断熱材の中空に芯材としてポリウレタン、ＴＰＵフォームなどの発泡体が挿入される断熱材で形成され、複数の横長の長方形平板状の中空構造の小断熱体２（２ｇ）と連結部Ｒ（Ｒｂ）から形成される。
【００７０】
表面と裏面の二枚のシート素材が縦長の長方形に形成され、その縁部が圧着されることで形成される断熱体２Ｇは、平板状の表側と裏側の二枚のシート素材の被膜が水平方向に同じ縦方向の間隔を置いて圧着されることで複数の連結部Ｒ（Ｒａ）が形成され、少なくとも断熱体２Ｇよりも狭い横幅で左右に均等な隙間を残した状態で圧着されることで、これら連結部Ｒ（Ｒｂ）の両端に空気通路６が形成され、同時に複数の平板状の中空構造の小断熱体２（２ｇ）が形成され、これら複数の小断熱体２（２ｇ）が連結部Ｒ（Ｒｂ）により連結される。
【００７１】
平板状の断熱体２Ｇが蛇腹状に折り畳まれた場合に、断熱体２Ｇの中空に複数の平板状の小断熱体２（２ｇ）同士の壁面が合わされる程度の空気が断熱体２Ｇの上端に設けられる空気栓７から各空気通路６を通じて充填され、連結部Ｒ（Ｒｂ）は、複数の平板状の小断熱体２（２ｇ）同士の壁面が合わされる程度の縦のサイズで形成される。
【００７２】
平板状の断熱体２Ｇを形成する複数の平板状の小断熱体２（２ｇ）の壁面に一対の穴ｎａが設けられる。これらの穴ｎａは、腰部に取り付けられることができる程度の一定の長さに形成され、両端部にバックルＢＫが設けられるベルト５のバックルＢＫが容易に通される程度の大きさで縦長状に形成され、これら縦長状の穴ｎａの縁部の表面、裏面の二枚のシート素材が圧着されることで断熱体２Ｇを構成する複数の小断熱体２（２ｇ）の壁面に一対の穴ｎａが形成される。
【００７３】
平板状の中空構造の断熱体２Ｇの下端部を形成する小断熱体２（２ｇ）の壁面に形成された一対の穴ｎａに設けられたベルト５及びベルト５の両端に設けられるバックルＢＫが、複数の平板状の中空構造の小断熱体２（２ｇ）に設けられた全ての一対の穴ｎａにそれぞれ通されて腰部にベルト５が取り付けられることで人体に携帯マット１Ｇが取り付けられる。
【実施例９】
【００７４】
この発明の第九実施形態を図１３、図１４、図１５に示す。
図１３は、この発明の第九実施形態を示す携帯マット１Ｈの斜視図、図１４はこの実施形態を示す断熱体２Ａの斜視図、図１５はこの実施形態を示す断熱体２Ａが展開された平面図である。
【００７５】
図１３に示すように、携帯マット１Ｈは縦長の平板状の連結断熱体１１Ａとベルト５から構成され、連結断熱体１１Ａは一対の断熱体２Ａが連結されることで形成される。これら一対の断熱体２Ａは第一実施形態における断熱体２Ａと同じ構成要素で構成される。図１４に示すように、断熱体２Ａが蛇腹状に折り畳まれた場合に、断熱体２Ａの上端部を形成する小断熱体２（２ａ）が外側になる壁面の上端部及び下端部の水平方向の長手方向に沿って一対の長方形の面ファスナー４ｃが接着剤、高周波ウエルダーなどで固設される。
【００７６】
図１３に示すように、断熱体２Ａが蛇腹状に折り畳まれた場合に、断熱体２Ａの下端部を形成する小断熱体２（２ａ）の外側になる壁面の上端部及び下端部の水平方向の長手方向に一対の面ファスナー４ｄが設けられる。
断熱体２Ａが蛇腹状に折り畳まれた場合に、断熱体２Ａの下端部を形成する小断熱体２（２ａ）の内側になる壁面の上端部、又は上端小口の中央部の水平方向の長手方向に、横長の長方形で少なくとも小断熱体２（２ａ）の小口の厚みと面ファスナー４ｄの縦幅を足した長さ以上で、面ファスナー４ｄ以上の横幅で形成される基布８が接着剤などで固設される。
【００７７】
さらに、この基布８が断熱体２Ａの下端部を形成する小断熱体２（２ａ）の外側に垂れ下げられた状態で、この基布８の外側の下端部の水平方向の長手方向に沿って長方形の面ファスナー４ｄが縫製、又は接着剤などで固設される。
【００７８】
断熱体２Ａが蛇腹状に折り畳まれた場合に、断熱体２Ａの下端部を形成する小断熱体２（２ａ）が外側になる壁面の下端部の中央部の水平方向の長手方向に沿って横長の長方形で少なくとも面ファスナー４ｄ以上の大きさで形成される基布８が接着剤などで固設され、この基布８の水平方向の長手方向に沿って面ファスナー４ｄが接着剤などで固設される。
【００７９】
図１５に示すように、腰部に取り付けられる程度の一定の長さで形成されたベルト５の裏面の中央部に、断熱体２Ａの上端部を形成する小断熱体２（２ａ）の上端部に固設された面ファスナー４ｃに対応する一定の長さで形成された長方形の面ファスナー４ｄが縫製などで固設され、断熱体２Ａの上端部を形成する小断熱体２（２ａ）の上端部に固設された面ファスナー４ｃと接合されることで、ベルト５が断熱体２Ａに脱着自在に設けられる。
【００８０】
図１３に示すように、一対の断熱体２Ａが蛇腹状に折り畳まれた状態で連結される場合は、一方の断熱体２Ａの下端部を形成する小断熱体２（２ａ）の上端部に設けられた基布８がこの断熱体２Ａの下端部を形成する小断熱体２（２ａ）の外側に垂れ下られた状態で、この断熱体２Ａの下端部を形成する小断熱体２（２ａ）の外側の壁面の上下の両端部に設けられた面ファスナー４ｄと、連結されるもう一方の断熱体２Ａの上端部を形成する小断熱体２（２ａ）の外側の壁面の上端部及び下端部に設けられた面ファスナー４ｃと接合されることで、脱着自在に連結断熱体１１Ａが形成され、同時に携帯マット１Ｈが形成される。
【００８１】
図には示さないが、一対の断熱体２Ａが展開された状態で連結される場合は、一方の断熱体２Ａの下端部を形成する小断熱体２（２ａ）の下端部に設けられた基布８の水平方向に固設された面ファスナー４ｄともう一方の断熱体２Ａの上端部を形成する小断熱体２（２ａ）の上端部に設けられた面ファスナー４ｃが接合されることで脱着自在に連結断熱体１１Ａが形成され、同時に携帯マット１Ｈが形成される。
【実施例１０】
【００８２】
この発明の第十実施形態を、図１６に示す。図１６はこの発明の第十実施形態を示す携帯マット１Ａｃの平面図である。
図１６に示すように、携帯マット１Ａｃは縦長の平板状の連結断熱体１１Ｂとベルト５から構成され、連結断熱体１１Ｂは上部を構成する縦長の平板状の断熱体２Ｆと下部を構成する縦長の平板状の断熱体２Ａ（２Ａｃ）から構成される。
【００８３】
連結断熱体１１Ｂの上部を構成する断熱体２Ｆは第七実施形態で示した断熱体２Ｆと同じ構成要素で構成され、連結断熱体１１Ｂの下部を構成する断熱体２Ａ（２Ａｃ）は上端部を形成する小断熱体２（２ａｃ）と、この小断熱体２（２ａｃ）と連結される複数の小断熱体２（２ａ）から形成される。
【００８４】
連結断熱体１１Ｂは上部を構成する縦長の平板状の断熱体２Ｆの下端部を形成する横長の長方形平板状の小断熱体２（２ｆ）が連結断熱体１１Ｂの下部を構成する縦長の平板状の断熱体２Ａ（２Ａｃ）の上端部を形成する横長の長方形平板状の小断熱体２（２ａｃ）の壁の垂直方向に折り畳まれた場合に、これら小断熱体２（２ｆ）と小断熱体２（２ａｃ）の壁面同士が接触できる程度に薄肉を残して、壁面の水平方向に切り込み３がされることで、連結部Ｒ（Ｒａ）が形成されると同時に、断熱体２Ｆと断熱体２Ａ（２Ａｃ）が連結され、連結断熱体１１Ｂが形成される。
【００８５】
連結断熱体１１Ｂの下部を構成する断熱体２Ａ（２Ａｃ）の上端部を形成する小断熱体２（２ａｃ）は、縦方向に折れ曲がり小断熱体２（２ａ）の壁面に接触することができる程度に薄肉を残して、小断熱体２（２ａｃ）と連結される小断熱体２（２ａ）の間に切り込み３がされることで形成され、同時に連結部Ｒ（Ｒａ）が形成される。
【００８６】
断熱体２Ａ（２Ａｃ）の上端部を形成する小断熱体２（２ａｃ）の壁面の中央部の下端の垂直方向に一対の切り込み３ｂがなされ、さらに、これら切り込み３ｂの下端から互いの切り込み３ｂの下端の水平方向に切り込み３ｃがなされることで、略方形の切出し部Ｋが形成される。
【００８７】
切出し部Ｋの壁面の下端部の両端部に一対の方形の面ファスナー４ａが接着剤などで固設され、断熱体２Ａ（２Ａｃ）の上端部を形成する小断熱体２（２ａｃ）が下方の垂直方向に折り畳まれた場合に、小断熱体２（２ａｃ）と連結される小断熱体２（２ａ）の壁面の上部で小断熱体２（２ａｃ）の切出し部Ｋの壁面に固設された一対の面ファスナー４ａと接触する部分に一対の方形の面ファスナー４ｂが固設され、断熱体２Ａ（２Ａｃ）に開閉自在に略方形の切出し部Ｋが設けられると同時に、携帯マット１Ａｃに略方形の切出し部Ｋが設けられる。
【００８８】
切出し部Ｋの下端が図１３の紙面の向う側に押し出され、切出し部Ｋと小断熱体２（２ａｃ）の壁面に形成される隙間（９）に腰部に取り付けられる程度の一定の長さで形成され、両端部にバックルＢＫが設けられるベルト５が裏面側の下方から差し入れられて一対の切り込み３ｂにベルト５が通される。
【００８９】
断熱体２Ａ（２Ａｃ）の上端部を形成する小断熱体２（２ａｃ）の上端の両端部に固設された面ファスナー４ａが少なくとも小断熱体２（２ａｃ）と連結される小断熱体２（２ａ）の下端の両端部に固設された面ファスナー４ｂと接合された状態で、切出し部Ｋが小断熱体２（２ａｃ）に押し戻されることで、切出し部Ｋの下端部の両端部に設けられた一対の面ファスナー４ａと小断熱体２（２ａｃ）と連結される小断熱体２（２ａ）の壁面に設けられた一対の面ファスナー４ｂが接合されることで連結断熱体１１Ｂにベルト５が脱着自在に設けられると同時に携帯マット１Ａｃにベルト５が脱着自在に設けられる。
【００９０】
断熱体２Ｆが全て蛇腹状に折り畳まれた状態で、断熱体２Ａ（２Ａｃ）の上端部を形成する小断熱体２（２ａｃ）に設けられたベルト５の両端部に設けられた一対のバックルＢＫが断熱体２Ｆの全ての小断熱体２（２ｆ）の中央部に形成された一対の縦長状の穴ｎａにそれぞれ通されて、断熱体２Ｆにベルト５が通され、腰部にベルト５が取り付けられることで、人体に携帯マット１Ａｃが取り付けられる。断熱体２Ａ（２Ａｃ）のその他の構成要素は第一実施形態における断熱体２Ａと同じ構成要素であり、断熱体２Ｆの構成要素は第七実施形態における断熱体２Ｆと同じ構成要素である。
【実施例１１】
【００９１】
この発明の第十一実施形態を図１７に示す。図１７はこの発明の第十一実施形態を示す携帯マット１Ｋの平面図である。
図１７に示すように、携帯マット１Ｋは縦長の平板状の中空構造の連結断熱体１１Ｃとベルト５から構成され、連結断熱体１１Ｃは上部を構成する縦長の平板状の中空構造の断熱体２Ｇと下部を構成する縦長の平板状の中空構造の断熱体２Ｂ（２Ｂｂ）と、断熱体２Ｇと断熱体２Ｂ（２Ｂｂ）を連結する連結部Ｒ（Ｒｂｂ）から構成される。
【００９２】
連結断熱体１１Ｃの上部を構成する断熱体２Ｇは第八実施形態で示した断熱体２Ｇと同じ構成要素で構成され、連結断熱体１１Ｃの下部を構成する断熱体２Ｂ（２Ｂｂ）は上端部を形成する小断熱体２（２ｂｂ）と、この小断熱体２（２ｂｂ）と連結される複数の小断熱体２（２ｂ）と、小断熱体２（２ｂｂ）と複数の小断熱体２（２ｂ）同士を連結する連結部Ｒ（Ｒｂ）から形成される。
【００９３】
連結断熱体１１Ｃの上部を構成する断熱体２Ｇの下端部を形成する小断熱体２（２ｇ）の下端と、連結断熱体１１Ｃの下部を構成する断熱体２Ｂ（２Ｂｂ）の上端部を形成する小断熱体２（２ｂｂ）の上端の表側と裏側の二枚のシート素材の被膜の水平方向の横幅の全てが圧着されることで、断熱体２Ｇと断熱体２Ｂ（２Ｂｂ）が形成され、同時に連結部Ｒ（Ｒｂｂ）が形成され、断熱体２Ｇと断熱体２Ｂ（２Ｂｂ）が連結されることで、連結断熱体１１Ｃが形成される。
【００９４】
連結部Ｒ（Ｒｂｂ）は、断熱体２Ｇの下端部を形成する小断熱体２（２ｇ）と断熱体２Ｂ（２Ｂｂ）の上端部を形成する小断熱体２（２ｂｂ）が垂直方向に折り畳まれた場合に、これら小断熱体２（２ｇ）と小断熱体２（２ｂｂ）の壁面同士が接触する程度の縦幅で圧着される。
【００９５】
連結断熱体１１Ｃの下部を構成する断熱体２Ｂ（２Ｂｂ）の上端部を形成する小断熱体２（２ｂｂ）は、縦方向に折れ曲がり小断熱体２（２ｂ）の壁面に接触することができる程度に表側と裏側の二枚のシート素材の被膜が水平方向に圧着されることで連結部Ｒ（Ｒｂ）が形成され、少なくとも断熱体２Ｂよりも狭い横幅で左右に均等な隙間を残した状態で圧着されることで、連結部Ｒ（Ｒｂ）の両端に空気通路６が形成され、小断熱体２（２ｂｂ）と小断熱体２（２ｂ）が連結部Ｒ（Ｒｂ）により連結される。
【００９６】
断熱体２Ｂ（２Ｂｂ）の上端部を形成する小断熱体２（２ｂｂ）の中央部の下端の垂直方向に向かって一対の切り込み３ｂがなされ、さらに、これら一対の切り込み３ｂの下端から小断熱体２（２ｂｂ）の両端部の水平方向に向かって切り込み３ｃがなされ、これら、切り込み３ｂと切り込み３ｃの表面、裏面の二枚のシート素材の縁部が圧着されることで、断熱体２Ｂ（２Ｂｂ）の上端部を形成する小断熱体２（２ｂｂ）の両端部に一対の略方形の切出し部Ｋが形成される。
【００９７】
一対の切出し部Ｋの下端部に方形の面ファスナー４ａが接着剤などで固設され、断熱体２Ｂ（２Ｂｂ）の上端部を形成する小断熱体２（２ｂｂ）が下方の垂直方向に折り畳まれた場合に、断熱体２Ｂ（２Ｂｂ）の上端部を形成する小断熱体２（２ｂｂ）の切出し部Ｋと接触し、小断熱体２（２ｂｂ）と連結される小断熱体２（２ｂ）の壁面に一対の方形の面ファスナー４ｂが接着材などで固設され、これら面ファスナー４ａと面ファスナー４ｂが接合されることで、連結断熱体１１Ｂに開閉自在に一対の略方形の切出し部Ｋが設けられる。
【００９８】
連結断熱体１１Ｂの横幅が全て圧着されることで断熱体２Ｇと断熱体２Ｂ（２Ｂｂ）の空気の流入は遮断され、断熱体２Ｇの上端部に形成された空気栓７から複数の小断熱体２（２ｇ）同士の壁面が合わされる程度の空気が充填され、又は、断熱体２Ｂ（２Ｂｂ）の上端部に形成された空気栓７から複数の小断熱体２（２ｂｂ、２ｂ）同士の壁面が合わされる程度の空気が充填される。
【００９９】
断熱体２Ｂ（２Ｂｂ）の中空に小断熱体２（２ｂ、２ｂｂ）同士の壁面が合わされる程度の空気が充填され、一対の切出し部Ｋの下端が手前に引かれ、一対の切出し部Ｋと小断熱体２（２ｂｂ）の壁面に形成される隙間（９）に、腰部に取り付ける程度の一定の長さで形成され、両端部にバックルＢＫが設けられるベルト５が切出し部Ｋの下方から差し入れられて、一対の切出し部Ｋにベルト５が通される。
【０１００】
少なくとも断熱体２Ｂ（２Ｂｂ）の上端部を形成する小断熱体２（２ｂｂ）の上端の両端部に固設された面ファスナー４ａと小断熱体２（２ｂｂ）と連結される小断熱体２（２ｂ）の下端の両端部に固設された面ファスナー４ｂが接合されることで、一対の切り出し部Ｋが小断熱体２（２ｂｂ）の壁面に押し戻され、一対の切出し部Ｋの下端部に設けられた面ファスナー４ａと小断熱体２（２ｂｂ）と連結される小断熱体２（２ｂ）の壁面に設けられた一対の面ファスナー４ｂが接合され、連結断熱体１１Ｃにベルト５が取り付けられることで、携帯マット１Ｋにベルト５が脱着自在に設けられる。
【０１０１】
断熱体２Ｇが全て蛇腹状に折り畳まれた状態で、断熱体２Ｂ（２Ｂｂ）の上端部を形成する小断熱体２（２ｂｂ）に設けられたベルト５の両端部に設けられた一対のバックルＢＫが断熱体２Ｇの全ての複数の小断熱体２（２ｇ）の中央部に形成された一対の穴ｎａにそれぞれ通されて、断熱体２Ｇにベルト５が通され、腰部にベルト５が取り付けられることで、人体に携帯マット１Ｋが取り付けられる。断熱体２Ｂ（２Ｂｂ）の他の構成要素は第三実施形態における断熱体２Ｂと同じ構成要素であり、断熱体２Ｇの構成要素は第八実施形態における断熱体２Ｇと同じ構成要素である。
【実施例１２】
【０１０２】
この発明の第十二実施形態を、図１８、図１９に示す。
図１８はこの発明の第十二実施形態を示す携帯マット１Ｌの平面図、図１９は携帯マット１Ｌが折り畳まれたことを示す斜視図である。
図１８に示すように、携帯マット１Ｌは縦長の平板状の中空構造の連結断熱体１１Ｄとベルト５から構成され、連結断熱体１１Ｄは上部を構成する縦長の平板状の中空構造の断熱体２Ｇと下部を構成する縦長の平板状の中空構造の断熱体２Ｂ（２Ｂｃ）から構成される。
【０１０３】
連結断熱体１１Ｄの上部を構成する断熱体２Ｇは第八実施形態で示した断熱体２Ｇと同じ構成要素で構成され、連結断熱体１１Ｄの下部を構成する断熱体２Ｂ（２Ｂｃ）は上端部を形成する小断熱体２（２ｂｃ）と、この小断熱体２（２ｂｃ）と連結される複数の小断熱体２（２ｂ）から形成される。
【０１０４】
図１８に示すように、連結断熱体１１Ｄの上部を構成する断熱体２Ｇの下端部を形成する小断熱体２（２ｇ）の表側の下端の水平方向の長手方向に長方形の面ファスナー４ｄが固設され、連結断熱体１１Ｄの下部を構成する断熱体２Ｂ（２Ｂｃ）の上端部を形成する小断熱体２（２ｂｃ）の裏面の上端の水平方向の長手方向に沿って長方形の面ファスナー４ｃが接着剤などで固設され、これら面ファスナー４ｃと面ファスナー４ｄが接合されることにより連結断熱体１１Ｄが形成され、断熱体２Ｂ（２Ｂｃ）と断熱体２Ｇが脱着自在に接合される。
【０１０５】
断熱体２Ｂ（２Ｂｃ）の上端部を形成する小断熱体２（２ｂｃ）は、縦方向に折れ曲がり連結される小断熱体２（２ｂ）の壁面に接触することができる程度に表側と裏側の二枚のシート素材の被膜が水平方向に圧着されることで連結部Ｒ（Ｒｂ）が形成され、少なくとも断熱体２Ｂよりも狭い横幅で左右に均等な隙間を残した状態で圧着されることで、連結部Ｒ（Ｒｂ）の両端に空気通路６が形成され、小断熱体２（２ｂｃ）と小断熱体２（２ｂ）が連結部Ｒ（Ｒｂ）により連結される。
【０１０６】
連結断熱体１１Ｄの下部を構成する断熱体２Ｂ（２Ｂｃ）の上端部を形成する小断熱体２（２ｂｃ）の中央部にベルト５の両端部に設けられたバックルＢＫが容易に挿入することができる一対の縦長状の穴ｎａが形成され、これらの穴ｎａの下端から小断熱体２（２ｂｃ）の下端の垂直方向に向かって切り込み３ｂがなされる。
【０１０７】
さらに、これら一対の切り込み３ｂの下端から切り込み３ｂ同士の下端方向の水平方向に切り込み３ｃがなされ、これら縦長状の穴ｎａと切り込み３ｂと切り込み３ｃの表面、裏面の二枚のシート素材の縁部が圧着されることで、断熱体２Ｂ（２Ｂｃ）の上端部を構成する小断熱体２（２ｂｃ）の中央部に一対の縦長状の穴ｎａと略方形の切出し部Ｋが形成される。
【０１０８】
切出し部Ｋの裏面の下端部の両端部に方形の面ファスナー４ａが接着剤などで固設され、断熱体２Ｂ（２Ｂｃ）の上端部を形成する小断熱体２（２ｂｃ）が下方の垂直方向に折り畳まれた場合に、断熱体２Ｂ（２Ｂｃ）の上端部を形成する小断熱体２（２ｂｃ）の切出し部Ｋと接触し、小断熱体２（２ｂｃ）と連結される小断熱体２（２ｂ）の壁面に一対の方形の面ファスナー４ｂが接着材などで固設され、これら面ファスナー４ａと面ファスナー４ｂが接合されることで、断熱体２Ｂ（２Ｂｃ）に開閉自在に略方形の切出し部Ｋが設けられ、同時に、連結断熱体１１Ｄに開閉自在に略方形の切出し部Ｋが設けられる。
【０１０９】
断熱体２Ｂ（２Ｂｃ）の中空に小断熱体２（２ｂ、２ｂｃ）同士の壁面が合わされる程度の空気が充填され、切出し部Ｋの下端が手前に引かれ、切出し部Ｋと小断熱体２（２ｂｃ）の壁面に形成される隙間（９）に腰部に取り付ける程度の一定の長さで形成され、両端にバックルＢＫが設けられるベルト５が下方から差し入れられて一対の穴ｎａにベルト５が通される。
【０１１０】
少なくとも断熱体２Ｂ（２Ｂｃ）の上端部を形成する小断熱体２（２ｂｃ）の上端の両端部に固設された面ファスナー４ａと小断熱体２（２ｂｃ）と連結される小断熱体２（２ｂ）の下端の両端部に固設された面ファスナー４ｂが接合され、切出し部Ｋの下端部に設けられた一対の面ファスナー４ａと小断熱体２（２ｂｃ）と連結される小断熱体２（２ｂ）の壁面に設けられた一対の面ファスナー４ｂが接合されることで、断熱体２Ｂ（２Ｂｃ）にベルト５が脱着自在に設けられるのと同時に、連結断熱体１１Ｂにベルト５が脱着自在に設けられる。
【０１１１】
断熱体２Ｇを形成する複数の小断熱体２（２ｇ）、又は断熱体２Ｂ（２Ｂｃ）を形成する複数の小断熱体２（２ｂ、２ｂｃ）の左右の表、裏面のどちらか一方の端部の中間位置の垂直方向に縦長の面ファスナー４ｅと面ファスナー４ｆが固設される。
【０１１２】
図１９に示すように、連結断熱体１１Ｄの上部を構成する断熱体２Ｇと連結断熱体１１Ｄの下部を構成する断熱体２Ｂ（２Ｂｃ）が蛇腹状に折り畳まれ、断熱体２Ｂ（２Ｂｃ）の上端部を形成する小断熱体２（２ｂｃ）の両端部に設けられた切出し部Ｋにベルト５が通され、断熱体２Ｇを形成する複数の小断熱体２（２ｇ）の中央部に形成された一対の縦長の穴ｎａにベルト５の両端部に設けられたバックルＢＫがそれぞれ通されて人体の腰部に携帯マット１Ｌが取り付けられる。
【０１１３】
この場合、連結断熱体１１Ｄの下部を構成する断熱体２Ｂ（２Ｂｃ）は、複数の小断熱体２（２ｂ）の壁面同士が合わされる表裏の交互の上下の両端部に固設される面ファスナー４ａと面ファスナー４ｂの働きにより自在に折り畳むことができ、連結断熱体１１Ｄの上部を構成する断熱体２Ｇは、複数の小断熱体２（２ｇ）の中央部に形成された一対の縦長の穴ｎａとベルト５の働きで人体の腰部に携帯マット１Ｌがしっかりと固定される。
【０１１４】
連結断熱体１１Ｄの下部を構成する断熱体２Ｂ（２Ｂｃ）のその他の実施形態は第三実施形態における断熱体２Ｂと全く同じであり、連結断熱体１１Ｄの上部を構成する断熱体２Ｇのその他の実施形態は第八実施形態における断熱体２Ｇと全く同じである。
【実施例１３】
【０１１５】
この発明の第十三実施形態を、図２０に示す。図２０はこの発明の第十三実施形態を示す携帯マット１Ｍが展開された平面図である。
図２０に示すように、携帯マット１Ｍは、縦長の平板状の連結断熱体１１Ｅとベルト５から構成され、連結断熱体１１Ｅは上部を構成する縦長の平板状の断熱体２Ｆ（２Ｆｂ）と下部を構成する縦長の平板状の断熱体２Ａから構成される。
【０１１６】
連結断熱体１１Ｅの上部を構成する断熱体２Ｆ（２Ｆｂ）は第七実施形態で示した断熱体２Ｆと同じ構成要素で構成された断熱体２Ｆの両端部の中央部に三角形状の切り欠き１０ａが形成され、この切り欠き１０ａの頂点から一対の縦長状の穴ｎａのそれぞれの側面に向かってベルト５が容易に挿入できる程度の幅で隙間９が形成される。
【０１１７】
複数の小断熱体２（２ｆｂ）の両端に設けられた三角形状の切り欠き１０ａと、複数の小断熱体２（２ｆｂ）の中央部に設けられた一対の穴ｎａが一対の隙間９によって繋がれ、断熱体２Ｆ（２Ｆｂ）の下端部を形成する小断熱体２（２ｆｂ）の下端小口の水平方向に沿って面ファスナー４ｈが固設される。
【０１１８】
連結断熱体１１Ｅの下部を構成する縦長の平板状の断熱体２Ａは第一実施形態で示した断熱体２Ａと同じ構成要素で構成され、断熱体２Ａの上端部を形成する小断熱体２（２ａ）の上端小口の水平方向に沿って面ファスナー４ｊが固設される。
【０１１９】
連結断熱体１１Ｅの上部を構成する断熱体２Ｆ（２Ｆｂ）の下端に設けられた面ファスナー４ｈと、連結断熱体１１Ｅの下部を構成する断熱体２Ａの上端に設けられた面ファスナー４ｊが脱着自在に接合され、断熱体２Ａと断熱体２Ｆ（２Ｆｂ）が脱着自在に接合されることで連結断熱体１１Ｅが形成される。
【０１２０】
断熱体２Ａの上端部を形成する小断熱体２（２ａ）の壁面の上部の水平方向に長方形の面ファスナー４ｃが接着剤などで固設され、両端部にバックルＢＫが設けられたベルト５の中央部の水平方向に小断熱体２（２ａ）の壁面の上部に設けられた長方形の面ファスナー４ｃに対応する長方形の面ファスナー４ｄが接着剤などで固設される。これらの面ファスナー４ｃと面ファスナー４ｄが脱着自在に接合されることで、断熱体２Ａにベルト５が脱着自在に設けられ、同時に連結断熱体１１Ｅにベルト５が脱着自在に設けられる。
【０１２１】
連結断熱体１１Ｅが蛇腹状に折り畳まれた場合、断熱体２Ａの上端部を形成する小断熱体２（２ａ）に設けられたベルト５はベルト５の両端部の上端、又は下端が連結断熱体１１Ｅの上部を構成する断熱体２Ｆ（２Ｆｂ）を形成する複数の小断熱体２（２ｆｂ）の両端部に形成された三角形状の切り欠き１０ａの小口に押し当てられ、一対の穴ｎａと繋がる隙間９に挿入され、さらに、複数の小断熱体２（２ｆｂ）の中央部に形成された一対の穴ｎａに挿入されることで断熱体２Ｆ（２Ｆｂ）にベルト５が通され、腰部にベルト５が取り付けられることで、携帯マット１Ｍが人体に取り付けられる。
【実施例１４】
【０１２２】
この発明の第十四実施形態を、図２１、図２２、図２３に示す。図２１はこの発明の第十四実施形態を示す携帯マット１Ａｄが展開されたことを示す平面図、図２２は携帯マット１Ａｄが折り畳まれる途中の斜視図、図２３は携帯マット１Ａｄが折り畳まれたことを示す斜視図である。
【０１２３】
図２１に示すように、携帯マット１Ａｄは、縦長の平板状の断熱体２Ａ（２Ａｄ）から構成され、断熱体２Ａ（２Ａｄ）は発泡ポリエチレン、高密度ポリエチレンフォーム、発泡ウレタンなどの高密度発泡体、又は発泡ゴムの断熱素材で形成された縦長の長方形板状で、複数の横長の長方形板状の小断熱体２（２ａｄ）と連結部Ｒ（Ｒａ）から形成される。
【０１２４】
図２２に示すように、小断熱体２（２ａｄ）が垂直方向に折れ曲がり、小断熱体２（２ａｄ）の壁面同士が接触することができる程度に薄肉を残して、断熱体２Ａ（２Ａｄ）の壁面の内側と外側から水平方向に交互に同じ高さで、一定の切り込み３をされることにより、複数の小断熱体２（２ａｄ）が形成される。
【０１２５】
図２１、図２２に示すように、断熱体２Ａ（２Ａｄ）を形成する複数の小断熱体２（２ａｄ）の両端部の上部及び下部にベルト５が容易に挿入できる程度の大きさに形成された横長状の穴ｎｂが形成され、複数の小断熱体２（２ａｄ）の両端部の上端及び下端に三角形状の切り欠き１０ａが形成される。
【０１２６】
これら三角形状の切り欠き１０ａの頂点から、小断熱体２（２ａｄ）の両端部の上部及び下部に形成された横長状の穴ｎｂのそれぞれの上面、下面の垂直方向に向かってベルト５が容易に挿入できる程度の隙間９が形成され、複数の小断熱体２（２ａｄ）の両端部の上端及び下端に設けられた三角形状の切り欠き１０ａと複数の小断熱体２（２ａｄ）の両端部の上部及び下部に横長状に形成されれた穴ｎｂが隙間９によって繋がれる。
【０１２７】
図２３に示すように、断熱体２Ａ（２Ａｄ）が全て蛇腹状に折り畳まれた状態で、複数の小断熱体２（２ａｄ）の両端部の上下の端部に設けられた一対の横長状の穴ｎｂに向かって、三角形状の切り欠き１０ａの頂点から垂直方向に設けられた一対の隙間９にベルト５の上端、又は下端が挿入され、複数の小断熱体２（２ａｄ）の両端部の上下の端部に設けられた一対の横長状の穴ｎｂに携帯マット１Ａｄの両端部にベルト５が挿入される。
携帯マット１Ａｄの他の構成要素は、第一実施形態における携帯マット１Ａと同じである。
【実施例１５】
【０１２８】
この発明の第十五実施形態を、図２４に示す。図２４は、この発明の第十五実施形態を示す携帯マット１Ｐが折り畳まれる途中の斜視図である。
図２４に示すように、携帯マット１Ｐは縦長の平板状の断熱体２Ｈから構成され、断熱体２Ｈは横長の長方形板状の二種以上の小断熱体２（２ｃｂ、２ｆ、２ａｂ、２ａ）と連結部Ｒ（Ｒａ、Ｒｄ）から形成される。断熱体２Ｈの上端部を形成する小断熱体２（２ｃｂ）は基布８が横長の長方形板状の平板状の袋体に縫合され、芯材にゲル状の平板材が挿入され、小断熱体２（２ｃｂ）の中央部に一対の縦長状の穴ｎａが形成される。
【０１２９】
その他の断熱体２Ｈを形成する小断熱体２（２ｆ、２ａｂ、２ａ）は発泡ポリエチレン、高密度ポリエチレンフォーム、発泡ウレタンなどの高密度発泡体、又は発泡ゴムの断熱素材で形成され、壁面の内側と外側から水平方向に交互に同じ高さで、小断熱体２（２ｆ、２ａｂ、２ａ）が垂直方向に折れ曲がり、小断熱体同士の壁面同士が接触することができる程度に薄肉を残して一定の切り込み３をされることにより、小断熱体２（２ｆ、２ａｂ、２ａ）が形成され、同時にこれらの小断熱体２（２ｆ）と小断熱体２（２ａｂ）の間、小断熱体２（２ａｂ）と小断熱体２（２ａ）の間に連結部Ｒ（Ｒａ）が形成される。
【０１３０】
小断熱体２（２ｃｂ）と連結される小断熱体２（２ｆ）は第七実施形態と同じ実施形態の小断熱体２（２ｆ）であり、小断熱体２（２ｃｂ）の下端の水平方向と小断熱体２（２ｆ）の上端の水平方向に長方形の基布８が固設されることで、連結部Ｒ（Ｒｄ）が形成され、小断熱体２（２ｃｂ）と小断熱体２（２ｆ）が連結される。小断熱体２（２ｆ）と連結される小断熱体２（２ａｂ、２ａ）は、第二実施形態における小断熱体２（２ａｂ、２ａ）と同じ構成要素である。
【実施例１６】
【０１３１】
この発明の第十六実施形態を、図２５、図２６、図２７に示す。図２５は、この発明の第十六実施形態を示す携帯マット１Ｑが展開された平面図、図２６は携帯マット１Ｑが折り畳まれる途中の斜視図、図２７は携帯マット１Ｑが折り畳まれる途中の側面図である。
図２５に示すように、携帯マット１ＱはＴ字型の平板状の連結断熱体１１Ｆから構成され、連結断熱体１１Ｆの上部を構成する横長の長方形平板状の断熱体２Ａ（２Ａｅ）と、連結断熱体１１Ｆの下部を構成する縦長の長方形平板状の断熱体２Ａと、これら断熱体２Ａ（２Ａｅ）と断熱体２Ａを連結する連結部Ｒ（Ｒｄ）から構成される。
【０１３２】
連結断熱体１１Ｆの上部を構成する断熱体２Ａ（２Ａｅ）は、発泡ポリエチレン、高密度ポリエチレンフォーム、発泡ウレタンなどの高密度発泡体、又は発泡ゴムの断熱素材で形成された横長の長方形平板状で、断熱体２Ａの中央部を形成し背面に金属板Ｍｅが固設された横長の長方形平板状の小断熱体２（２ａｅ）と両端部を形成する方形板状の一対の小断熱体２（２ａｆ）と一対の連結部Ｒ（Ｒａ）から形成される
【０１３３】
図２６に示すように、連結断熱体１１Ｆの上部を構成する断熱体２Ａ（２Ａｅ）は、両端部を形成する一対の小断熱体２（２ａｆ）が水平方向に折れ曲がり、中央部を形成する小断熱体２（２ａｅ）の壁面と接触することができる程度に薄肉を残して、両端部の垂直方向に、一対の切り込み３をされることにより、横長の長方形板状の小断熱体２（２ａｅ）と方形板状の一対の小断熱体２（２ａｆ）が形成され、同時に、一対の連結部Ｒ（Ｒａ）が小断熱体２（２ａｅ）の両端の一対の小断熱体２（２ａｆ）の間の垂直方向に形成され、断熱体２Ａ（２Ａｅ）の中央部を形成する小断熱体２（２ａｅ）の裏側に金属板Ｍｅが固設される。
【０１３４】
図２５に示すように、連結断熱体１１Ｆの上部を構成する断熱体２Ａ（２Ａｅ）の両端部を形成する一対の小断熱体２（２ａｆ）の外側の上下の端部に面ファスナー４ａが固設され、断熱体２Ａ（２Ａｅ）の中央部を形成する小断熱体２（２ａｅ）の壁面の中央部の上下の端部に二対の面ファスナー４ｂが固設される。一対の小断熱体２（２ａｆ）が内側の水平方向に折り畳まれた場合に、一対の小断熱体２（２ａｆ）の外側の上下の端部に設けられた面ファスナー４ａと断熱体２Ａ（２Ａｅ）の中央部を形成する小断熱体２（２ａｅ）の壁面の中央部の上下の端部に設けられた二対の面ファスナー４ｂが脱着自在に接合され、熱体２Ａ（２Ａｅ）の両端部を形成する一対の小断熱体２（２ａｆ）が、断熱体２Ａ（２Ａｅ）の中央部を形成する小断熱体２（２ａｅ）に脱着自在に接合される。
【０１３５】
連結断熱体１１Ｆの上部を構成する断熱体２Ａ（２Ａｅ）の中央部を形成する小断熱体２（２ａｅ）の下端の水平方向と連結断熱体１１Ｆの下部を構成する断熱体２Ａの上端部を形成する小断熱体２（２ａ）の上端の水平方向に沿って横長の長方形に形成された基布８が固設され、連結部Ｒ（Ｒｄ）が形成され、断熱体２Ａ（２Ａｅ）と断熱体２Ａが連結される。
【０１３６】
この場合、連結部Ｒ（Ｒｄ）を形成する基布８は、図２７に示すように、少なくとも断熱体２Ａ（２Ａｅ）の両端部を形成する小断熱体２（２ａｆ）の小口の厚み以上の隙間９が形成される状態で連結断熱体１１Ｆを構成する断熱体２Ａ（２Ａｅ）と断熱体２Ａの間に設けられる。断熱体２Ａの構成要素は第一実施形態における断熱体２Ａと同じ構成要素である。
【実施例１７】
【０１３７】
この発明の第十七実施形態を、図２８、図２９、図３０、図３１に示す。
図２８は、この発明の第十七実施形態を示す携帯マット１Ｒが展開された平面図、図２９は携帯マット１Ｒが折り畳まれる途中の裏側からの斜視図、図３０は携帯マット１Ｒの使用状態を示す斜視図、図３１は携帯マット１Ｒの使用状態を示す斜視図である。
【０１３８】
図２８、図２９に示すように、携帯マット１ＲはＴ字型の平板状の連結断熱体１１Ｇから構成され、発泡ポリエチレン、高密度ポリエチレンフォーム、発泡ウレタンなどの高密度発泡体、又は発泡ゴムの断熱素材の片側の全面に全て基布８が固設された素材で形成される。
【０１３９】
連結断熱体１１Ｇは、上端部を構成する横長の長方形平板状の断熱体２Ｅ（２Ｅｂ）と、中間部を構成する横長の逆Ｔ字型平板状の断熱体２Ｅ（２Ｅｃ）と、下端部を構成する縦長の長方形平板状の断熱体２Ｅ（２Ｅｄ）と、断熱体２Ｅ（２Ｅｂ）と断熱体２Ｅ（２Ｅｃ）を連結する連結部Ｒ（Ｒｄ）と、断熱体２Ｅ（２Ｅｂ）と断熱体２Ｅ（２Ｅｂ）を連結する連結部Ｒ（Ｒｄ）から構成される。
【０１４０】
連結断熱体１１Ｇの上端部を構成する横長の長方形平板状の断熱体２Ｅ（２Ｅｂ）は、中央部を形成する方形の小断熱体２（２ｅｅ）と、この小断熱体２（２ｅｅ）の両端部に連結される縦長の長方形の小断熱体２（２ｅｆ）と、これら一対の小断熱体２（２ｅｆ）の外側の端部に連結される縦長の長方形の一対の小断熱体２（２ｅｇ）と、これら一対の小断熱体２（２ｅｇ）の外側の端部に連結される縦長の長方形の一対の小断熱体２（２ｅｈ）と、これら複数の小断熱体２（２ｅｅ、２ｅｆ、２ｅｇ、２ｅｈ）同士を連結する連結部Ｒ（Ｒｄ）から形成される。
【０１４１】
断熱体２Ｅ（２Ｅｂ）の中央部を形成する小断熱体２（２ｅｅ）の両端部の側面の小口と一対の小断熱体２（２ｅｆ）の内側の側面の小口が合わせられ、小断熱体２（２ｅｅ、２ｅｆ）の全壁面に固設された基布８の切り口が合わされた状態で、小断熱体２（２ｅｅ）の裏側の両端部と一対の小断熱体２（２ｅｆ）の裏側の内側の端部の垂直方向に縦長の長方形の基布８が固設され、それぞれ縦長の長方形の基布８が固設された部分に連結部Ｒ（Ｒｄ）が形成される。
【０１４２】
一対の小断熱体２（２ｅｆ）の外側の端部の小口と一対の小断熱体２（２ｅｇ）の内側の端部小口が合わせられ、小断熱体２（２ｅｆ、２ｅｇ）の全壁面に固設された基布８の切り口が合わされた状態で、一対の小断熱体２（２ｅｆ）の裏側の外側の端部と一対の小断熱体２（２ｅｇ）の裏側の内側の端部の垂直方向に、縦長の長方形の基布８が固設され、それぞれ縦長の長方形の基布８が固設された部分に連結部Ｒ（Ｒｄ）が形成される。
【０１４３】
一対の小断熱体２（２ｅｇ）の外側の端部の小口と一対の小断熱体２（２ｅｈ）の内側の端部小口が合わせられ、小断熱体２（２ｅｇ、２ｅｈ）の全壁面に固設された基布８の切り口が合わされた状態で、一対の小断熱体２（２ｅｇ）の裏側の外側の端部と一対の小断熱体２（２ｅｈ）の裏側の内側の端部の垂直方向に、縦長の長方形の基布８が固設され、それぞれ縦長の長方形の基布８が固設された部分に連結部Ｒ（Ｒｄ）が形成される。
【０１４４】
断熱体２Ｅ（２Ｅｂ）の中央部を形成する小断熱体２（２ｅｅ）と両端部の小断熱体２（２ｅｆ）、一対の小断熱体２（２ｅｆ）と一対の小断熱体２（２ｅｇ）、又は一対の小断熱体２（２ｅｇ）と一対の小断熱体２（２ｅｈ）はそれぞれの端部に形成された連結部Ｒ（Ｒｄ）により連結され、断熱体２Ｅ（２Ｅｂ）が形成される。
【０１４５】
断熱体２Ｅ（２Ｅｂ）の両端部を形成する一対の小断熱体２（２ｅｈ）の中間位置に方形の面ファスナー４ｋが固設され、一対の小断熱体２（２ｅｈ）と連結される一対の小断熱体２（２ｅｇ）の中間位置の中央部に丸の形状の穴ｎが形成され、上端部の中央に方形の面ファスナー４ａが固設される。
【０１４６】
断熱体２Ｅ（２Ｅｂ）の中央部を形成する小断熱体２（２ｅｅ）の両端と連結される
一対の小断熱体２（２ｅｆ）が一対の小断熱体２（２ｅｇ）と連結され、これら一対の小断熱体２（２ｅｇ）が一対の小断熱体２（２ｅｈ）と連結された状態で、連結された三対の小断熱体２（２ｅｆ、２ｅｇ、２ｅｈ）の裏側の上部と下部の水平方向に二対の長方形の面ファスナー４ｃが固設され、一対の小断熱体２（２ｅｆ）の中央の垂直方向に長方形の反射板Ｈが固設され、小断熱体２（２ｅｅ）の中央位置の水平方向に反射板Ｈが固設される。
【０１４７】
連結断熱体１１Ｇの中間部を構成する横長の逆Ｔ字型の平板状の断熱体２Ｅ（２Ｅｃ）は、断熱体２Ｅ（２Ｅｃ）の中央部を形成する方形の小断熱体２（２ｅｊ）と、この小断熱体２（２ｅｊ）の両端部に連結される縦長の長方形の一対の小断熱体２（２ｅｋ）と、これら一対の小断熱体２（２ｅｋ）の外側の端部に連結される一対の小断熱体２（２ｅｍ）と、さらに、これら一対の小断熱体２（２ｅｍ）の外側の下端部に連結される一対の小断熱体２（２ｅｎ）と、これら小断熱体２（２ｅｊ、２ｅｋ、２ｅｍ、２ｅｎ）同士を連結する連結部Ｒ（Ｒｄ）から形成される。
【０１４８】
断熱体２Ｅ（２Ｅｃ）の中央部を形成する小断熱体２（２ｅｊ）の両端部の側面の小口と一対の小断熱体２（２ｅｋ）の内側の側面の小口が合わせられ、小断熱体２（２ｅｊ、２ｅｋ）の全壁面に固設された基布８の切り口が合わされた状態で、小断熱体２（２ｅｊ）の裏側の両端部と一対の小断熱体２（２ｅｋ）の裏側の内側の端部の垂直方向に縦長の長方形の基布８が固設され、それぞれ縦長の長方形の基布８が固設された部分に連結部Ｒ（Ｒｄ）が形成される。
【０１４９】
一対の小断熱体２（２ｅｋ）の外側の端部の小口と一対の小断熱体２（２ｅｍ）の内側の端部小口が合わせられ、小断熱体２（２ｅｋ、２ｅｍ）の全壁面に固設された基布８の切り口が合わされた状態で、一対の小断熱体２（２ｅｋ）の裏側で外側の端部と一対の小断熱体２（２ｅｍ）の裏側で内側の端部の垂直方向に、縦長の長方形の基布８が固設され、それぞれ縦長の長方形の基布８が固設された部分に連結部Ｒ（Ｒｄ）が形成される。
【０１５０】
一対の小断熱体２（２ｅｍ）の外側の下部の小口と一対の小断熱体２（２ｅｎ）の内側の端部小口が合わせられ、小断熱体２（２ｅｍ、２ｅｎ）の全壁面に固設された基布８の切り口が合わされた状態で、一対の小断熱体２（２ｅｍ）の裏側の外側の下部と一対の小断熱体２（２ｅｎ）の裏側の内側の端部の垂直方向に、縦長の長方形の基布８が固設され、それぞれ縦長の長方形の基布８が固設された部分に連結部Ｒ（Ｒｄ）が形成される。
【０１５１】
断熱体２Ｅ（２Ｅｃ）の中央部を形成する小断熱体２（２ｅｊ）と両端部の小断熱体２（２ｅｋ）、一対の小断熱体２（２ｅｋ）と一対の小断熱体２（２ｅｍ）、又は一対の小断熱体２（２ｅｍ）と一対の小断熱体２（２ｅｎ）はそれぞれの端部に形成された連結部Ｒ（Ｒｄ）により連結され、断熱体２Ｅ（２Ｅｃ）が形成される。
【０１５２】
断熱体２Ｅ（２Ｅｃ）の両端部を形成する一対の小断熱体２（２ｅｎ）の中央部に方形の面ファスナー４ｋが固設され、断熱体２Ｅ（２Ｅｃ）の中央部を形成する小断熱体２（２ｅｊ）の両端と連結される一対の小断熱体２（２ｅｋ）が一対の小断熱体２（２ｅｍ）と連結された状態で小断熱体２（２ｅｋ）の外側の端部と小断熱体２（２ｅｍ）の内側の端部の中間位置に丸の形状の穴ｎが形成され、断熱体２Ｅ（２Ｅｃ）の中央部を形成する小断熱体２（２ｅｊ）の中間位置の水平方向に反射板Ｈが固設される。
【０１５３】
断熱体２Ｅ（２Ｅｃ）の中央部を形成する小断熱体２（２ｅｊ）の両端と連結される
一対の小断熱体２（２ｅｋ）の上部と下部の水平方向に長方形の面ファスナー４ｄｂが固設され、小断熱体２（２ｅｋ）の両端と連結される一対の小断熱体２（２ｅｍ）の上部と下部の水平方向に、一対の小断熱体２（２ｅｋ）に設けられる二対の面ファスナー４ｄｂの切り口と合わせられる状態で、二対の長方形の面ファスナー４ｄｃが固設される。
【０１５４】
連結断熱体１１Ｇの下端部を構成する縦長の長方形平板状の断熱体２Ｅ（２Ｅｄ）は、断熱体２Ｅ（２Ｅｄ）の上端部を形成する横長の長方形平板状の小断熱体２（２ｅｄ）と中間部を形成する横長の長方形平板状の小断熱体２（２ｅｃ）と下端部を形成する横長の長方形平板状の小断熱体２（２ｅｂ）とこれら小断熱体２（２ｅｄ、２ｅｃ、２ｅｂ）を連結する連結部Ｒ（Ｒｄ）から構成される。
【０１５５】
断熱体２Ｅ（２Ｅｄ）の上端部を形成する小断熱体２（２ｅｄ）の下端小口と断熱体２Ｅ（２Ｅｄ）の中間部を形成する小断熱体２（２ｅｃ）の上端小口とが合わせられ、小断熱体２（２ｅｄ、２ｅｃ）の全壁面に固設された基布８の切り口が合わせられた状態で、小断熱体２（２ｅｄ）の裏側の下端部と小断熱体２（２ｅｃ）の裏側の上端部の水平方向に横長の長方形の基布８が固設されることで小断熱体２（２ｅｄ）と小断熱体２（２ｅｃ）の間に連結部Ｒ（Ｒｄ）が形成され、小断熱体２（２ｅｄ）と小断熱体２（２ｅｃ）が連結される。
【０１５６】
断熱体２Ｅ（２Ｅｄ）の中間部を形成する小断熱体２（２ｅｃ）の下端小口と断熱体２Ｅ（２Ｅｄ）の下端部を形成する小断熱体２（２ｅｂ）の上端小口が合わされた状態で、小断熱体２（２ｅｃ）と小断熱体２（２ｅｂ）の全壁面に基布８が固設され、小断熱体２（２ｅｃ）と小断熱体２（２ｅｂ）の間に連結部Ｒ（Ｒｄ）が形成され、小断熱体２（２ｅｃ）と小断熱体２（２ｅｂ）が連結される。
【０１５７】
断熱体２Ｅ（２Ｅｄ）の上端部を形成する小断熱体２（２ｅｄ）は、上端の両端部に一対の横長の形状の穴ｎｂが上下に平行に並べられた状態で形成され、下部の両端部に方形の面ファスナー４ｂが固設され、裏側の上部の両端部に面ファスナー４ａが固設され、中間位置の水平方向に反射板Ｈが固設される。
【０１５８】
断熱体２Ｅ（２Ｅｄ）の中間部を形成する小断熱体２（２ｅｃ）は、両端部に三角形の切り欠き１０ａが形成され、中央部に一対の縦長状の穴ｎａが形成され、これら一対の穴ｎａの側面から水平方向に、一対の三角形の切り欠き１０ａの頂点に向かって隙間９が形成され、上端の両端部に面ファスナー４ａが固設され、裏面の下端の両端部に面ファスナー４ｂが固設される。
【０１５９】
断熱体２Ｅ（２Ｅｄ）の下端部を形成し、断熱体２Ｅ（２Ｅｄ）の中間部を形成する小断熱体２（２ｅｃ）と連結される小断熱体２（２ｅｂ）は、上部の水平方向に反射材が固設され、中央部に一対の縦長状の穴ｎａが形成され、下端の水平方向に横長の長方形で上部の両端部に方形の面ファスナー４ｂが固設され、裏側に横長で長方形の面ファスナー４ｃが固設された基布８が固設される。
【０１６０】
連結断熱体１１Ｇの上端部を構成する断熱体２Ｅ（２Ｅｂ）の中央部を形成する小断熱体２（２ｅｅ）の裏側の下端の水平方向と、連結断熱体１１Ｇの中間部を構成する断熱体２Ｅ（２Ｅｃ）の中央部を形成する小断熱体２（２ｅｊ）の裏側の上端の水平方向に、少なくとも断熱体２Ｅ（２Ｅｂ）の小口と断熱体２Ｅ（２Ｅｃ）の小口を合わせた以上の間隔がある状態で、方形の基布８が固設されることで連結部Ｒ（Ｒｄ）が形成され、連結断熱体１１Ｇの上端部を構成する断熱体２Ｅ（２Ｅｂ）と連結断熱体１１Ｇの中間部を構成する断熱体２Ｅ（２Ｅｃ）が連結される。
【０１６１】
連結断熱体１１Ｇの中間部を構成する断熱体２Ｅ（２Ｅｃ）の中央部を形成する小断熱体２（２ｅｊ）の下端の水平方向と連結断熱体１１Ｇの下端部を構成する断熱体２Ｅ（２Ｅｄ）の上端部を形成する小断熱体２（２ｅｄ）の上端の中央部の水平方向に横長の長方形の基布８が固設され、連結部Ｒ（Ｒｄ）が形成され、断熱体２Ｅ（２Ｅｂ）と断熱体２Ｅ（２Ｅｂ）が連結部Ｒ（Ｒｄ）により連結される。
【０１６２】
断熱体２Ｅ（２Ｅｂ）と断熱体２Ｅ（２Ｅｃ）は連結部Ｒ（Ｒｄ）により連結され、断熱体２Ｅ（２Ｅｃ）と断熱体２Ｅ（２Ｅｄ）は連結部Ｒ（Ｒｄ）により連結されることで、連結断熱体１１Ｇが形成され、携帯マット１Ｒが形成される。
【０１６３】
図２９に示すように、携帯マット１Ｒが折り畳まれる場合は、連結断熱体１１Ｇの上端部を構成する断熱体２Ｅ（２Ｅｂ）の両端部を形成する小断熱体２（２ｅｈ）と、これら一対の小断熱体２（２ｅｈ）と連結される一対の小断熱体２（２ｅｇ）が裏側の水平方向に折り畳まれ、連結断熱体１１Ｇの中間部を構成する断熱体２Ｅ（２Ｅｃ）の両端部を形成する小断熱体２（２ｅｎ）と、これら一対の小断熱体２（２ｅｎ）と連結される一対の小断熱体２（２ｅｍ）が裏側の水平方向に折り畳まれる。
【０１６４】
前記状態で、図２８に示すように、連結断熱体１１Ｇの上端部を構成する断熱体２Ｅ（２Ｅｂ）の両端部を形成する一対の小断熱体２（２ｅｈ）と連結される一対の小断熱体２（２ｅｇ）の上端部の中央に設けられた面ファスナー４ａと連結断熱体１１Ｇの中間部を構成する断熱体２Ｅ（２Ｅｃ）の両端を形成する小断熱体２（２ｅｎ）と連結される一対の小断熱体２（２ｅｍ）の下部の水平方向に設けられた面ファスナー４ｄｃが接合されることで、図２９に示すように、連結断熱体１１Ｇの上端部を構成する断熱体２Ｅ（２Ｅｂ）と連結断熱体１１Ｇの中間部を構成する断熱体２Ｅ（２Ｅｃ）が四角立方体状に折り畳まれた状態で脱着自在に接合される。
【０１６５】
連結断熱体１１Ｇの下端部を構成する断熱体２Ｅ（２Ｅｄ）の上端部を形成する小断熱体２（２ｅｄ）の上部の両端部に設けられた一対の面ファスナー４ａと断熱体２Ｅ（２Ｅｄ）の中間部を形成する小断熱体２（２ｅｃ）の下部の両端部に設けられた一対の面ファスナー４ｂが接合され、小断熱体２（２ｅｄ）と小断熱体２（２ｅｃ）が脱着自在に接合される。
【０１６６】
さらに、図２８に示すように、連結断熱体１１Ｇの下端部を構成する断熱体２Ｅ（２Ｅｄ）の中間部を形成する小断熱体２（２ｅｃ）の上端の両端部に設けられた面ファスナー４ａと断熱体２Ｅ（２Ｅｄ）の下端部を形成する小断熱体２（２ｅｂ）の下端に固設された基布８の上部の両端部に設けられた面ファスナー４ｂが接合され、小断熱体２（２ｅｃ）と小断熱体２（２ｅｂ）が脱着自在に接合されることで、連結断熱体１１Ｇの下端部を構成する断熱体２Ｅ（２Ｅｄ）が四角立方体状に折り畳まれた状態で脱着自在に接合される。
【０１６７】
図２９に示すように、連結断熱体１１Ｇの上部を構成する断熱体２Ｅ（２Ｅｂ）と連結断熱体１１Ｇの中間部を構成する断熱体２Ｅ（２Ｅｃ）が折り畳まれて、互いに接合された状態からさらに、連結断熱体１１Ｇの下部を構成する断熱体２Ｅ（２Ｅｄ）の小断熱体２（２ｅｄ、２ｅｃ、２ｅｂ）が接合された状態で、図２８に示すように、連結断熱体１１Ｇの下部を構成する断熱体２Ｅ（２Ｅｄ）の上端部を形成する小断熱体２（２ｅｄ）の下部の両端部に設けられた面ファスナー４ｂと連結断熱体１１Ｇの中間部を構成する断熱体２Ｅ（２Ｅｃ）の中央部を形成する一対の小断熱体２（２ｅｋ）の上部の水平方向に設けられた面ファスナー４ｄｂが接合することで、断熱体２Ｅ（２Ｅｃ）と断熱体２Ｅ（２Ｅｄ）が接合され、連結断熱体１１Ｇを構成する連結断熱体１１Ｇ（２Ｓ、２Ｓ、２Ｓ）が四角立方体状に脱着自在に接合される。
【０１６８】
図３０に示すように、携帯マット１Ｒを人体に取付けた場合、、携帯マット１Ｒは、連結断熱体１１Ｇの下端部を形成する断熱体２Ｅ（２Ｅｄ）の中間部を形成する小断熱体２（２ｅｃ）の中央部に設けられた一対の縦長状の穴ｎａにベルト５が通され、一対の肩ベルト５Ｓは先端が断熱体２Ｅ（２Ｅｄ）の上端部を形成する小断熱体２（２ｅｄ）の上端の両端部に設けられた一対の横長状の穴ｎｂにそれぞれ通されて固定され、人体前面でベルト５に固定される。
【０１６９】
断熱体２Ｅ（２Ｅｄ）の下端部を形成する小断熱体２（２ｅｂ）の中央部に設けられた一対の縦長状の穴ｎａにベルト５が通され、人体前面の腰部の位置で固定される。
図２８、図３０に示すように、連結断熱体１１Ｇの中間部を構成する断熱体２Ｅ（２Ｅｃ）は小断熱体２（２ｅｊ）が後頭部を覆い、連結される二対の小断熱体２（２ｅｋ、２ｅｍ）が頭部の左右の水平方向に折れ曲がることにより人体の側頭部が覆われ、さらに一対の小断熱体２（２ｅｎ）が頭部前方で水平方向に折れ曲がることで顔面下部が覆われ、これら小断熱体２（２ｅｎ）に固設された面ファスナー４ｋと基布８の両端に固設された面ファスナー４ｋｂが脱着自在に接合されることで頭部に断熱体２Ｅ（２Ｅｃ）が固定される。
【０１７０】
連結断熱体１１Ｇの上端部を構成する断熱体２Ｅ（２Ｅｂ）は小断熱体２（２ｅｅ）が天頭部を覆い、三対の小断熱体２（２ｅｆ、２ｅｇ、２ｈ）が人体の側頭部の垂直方向に垂れ下がり側頭部を覆い、一対の小断熱体２（２ｅｈ）に固設された面ファスナー４ｋと基布８の両端に固設された面ファスナー４ｋｂが脱着自在に接合されることで頭部に断熱体２Ｅ（２Ｅｂ）が固定される。
【０１７１】
この時、図２８に示すように、断熱体２Ｅ（２Ｅｂ）の両端部を形成する三対の小断熱体２（２ｅｆ、２ｅｇ、２ｅｈ）の裏側に設けられた二対の面ファスナー４ｃが断熱体２Ｅ（２Ｅｃ）の中央部を形成する小断熱体２（２ｅｊ）の両端と連結される一対の小断熱体２（２ｅｋ）の上部と下部の水平方向に設けられた二対の面ファスナー４ｄｂと、これら一対の小断熱体２（２ｅｋ）と連結される一対の小断熱体２（２ｅｍ）の上部と下部の水平方向に設けられた二対の面ファスナー４ｄｃに脱着自在に接合され、断熱体２Ｅ（２Ｅｂ）と断熱体２Ｅ（２Ｅｂ）が脱着自在に接合されることで断熱体２Ｅ（２Ｅｂ）と断熱体２Ｅ（２Ｅｃ）が固定される。
【０１７２】
図３１に示すように、携帯マット１Ｒは四角立方体状に全て折り畳まれた状態で連結断熱体１１Ｇの下端部を構成する断熱体２Ｅ（２Ｅｄ）の下端部を形成する小断熱体２（２ｅｂ）の中央部に設けられた一対の縦長状の穴ｎａにベルト５が通され人体の腰部に取り付けられることで携帯マット１Ｒが携行される。
【０１７３】
携帯マット１Ｒが人体の腰部に取り付けられた状態で連結断熱体１１Ｇの下端部を形成する断熱体２Ｅ（２Ｅｄ）を展開することにより、尻当てとして使用することができ、連結断熱体１１Ｇを全て展開して防災頭巾を含めた防災用のマットとして使用できる。又、連結断熱体１１Ｇの上端部を構成する断熱体２Ｅ（２Ｅｂ）と中間部構成する断熱体２Ｅ（２Ｅｃ）を折り畳んだ状態で四角立方体の枕を形成し、携帯マット１Ｒを枕付きの半身用の簡易マットとして使用することができる、又携帯マット１Ｒがどの形態であってもフロートとしても利用できる。
【０１７４】
さらに、携帯マット１Ｒの下端に設けられた基布８の水平方向に固設された面ファスナー４ｃと第一、第二、第三、第四、第五、第六、第九実施形態における携帯マット１Ａ、１Ｂ、１Ｃ、１Ｄ、１Ｅ、１Ｆ、１Ｇの上端部に設けられた一対の面ファスナー４ａ、又は４ｃと接合することで携帯マット１Ｒと携帯マット１Ａ、１Ｂ、１Ｃ、１Ｄ、１Ｅ、１Ｆ、１Ｇが連結され、全身用の簡易マットとして使用することができる。
【実施例１８】
【０１７５】
この発明の第十八実施形態を、図３２、図３３に示す。図３２はこの発明の第十八実施形態を示す携帯マット１ＡがリュックＳに取り付けられた状態を示す側面図、図３３はリュックＳに取り付けられた携帯マット１Ａが展開したことを示す側面図である。
携帯マット１Ａは第一実施形態で示した携帯マット１Ａと同じ構成要素で構成され、携帯マット１Ａが蛇腹状に折り畳たまれ、断熱体２Ａが水平方向に置かれた状態で、断熱体２Ａの上端部を形成する小断熱体２（２ａ）の表面の上下の端部の長手方向に一対の面ファスナー４ｃが固設される。
【０１７６】
図３２に示すように、リュックＳは、リュック本体Ｓ１とリュック本体Ｓ１の内側の壁面に固設される一対の肩ベルト５Ｓから構成される。布などで袋状に形成されたリュック本体Ｓ１の底面の一対の肩ベルト５Ｓが設けられる内側と外側の両端部の水平方向の長手方向に沿って一対の面ファスナー４ｄが縫製などで固設される。
【０１７７】
リュック本体Ｓ１の底面の外側の端部の水平方向の長手方向に沿って設けられた面ファスナー４ｄと断熱体２Ａの上端部を形成する小断熱体２（２ａ）の表面の上端部の水平方向の長手方向に沿って設けられた面ファスナー４ｃが接合され、さらに、リュック本体Ｓ１の底面の内側の端部の水平方向の長手方向に沿って設けられた面ファスナー４ｄと断熱体２Ａの上端部を形成する小断熱体２（２ａ）の表面の下端部の水平方向の長手方向に沿って設けられた面ファスナー４ｃが接合されることでリュックＳと携帯マット１Ａが脱着自在に接合される。
【０１７８】
図３３に示すように、この実施形態における携帯マット１Ａは断熱体２Ａの上端部を形成する小断熱体２（２ａ）の表面の上下の端部の長手方向に設けられた面ファスナー４ｃとリュックＳの底面の両端部の長手方向に設けられた一対の面ファスナー４ｄが接合された状態で、断熱体２Ａの上端部を形成する小断熱体２（２ａ）と連結される複数の小断熱体２（２ａ）を蛇腹状に脱着自在に展開、又は折り畳みすることができる。
【０１７９】
そのため、リュックを背負った状態であっても、携帯マット１Ａの展開、又は縮小、収納が容易であり、緊急を要する場合に於いても有効である。また、断熱体２Ａを展開して使用する場合に於いて、容易に小断熱体２（２ａ）を重ねて使用することができるので、クッション性の調整、又は人体を覆う拡張範囲を容易に調整することができる。
【実施例１９】
【０１８０】
この発明の第十九実施形態を、図３４に示す。図３４は、この発明の第十九実施形態を示す携帯マット１ＡがリュックＳに取り付けられた状態を示す側面図である。
携帯マット１Ａは第一実施形態で示した携帯マット１Ａと同じ構成要素で構成され、携帯マット１Ａが蛇腹状に折り畳たまれ、断熱体２Ａが水平方向に置かれた状態で、断熱体２Ａの上端部を形成する小断熱体２（２ａ）の表面の上下の端部の水平方向の長手方向に一対の面ファスナー４ｃが固設される。
【０１８１】
図３４に示すように、リュックＳは第十八実施形態で示したリュックＳと同じ構成要素で構成され、リュックＳの本体を構成するリュック本体Ｓ１は、内側の一対の肩ベルト５Ｓが固設された壁面の下端の水平方向の長手方向に沿って長方形の基布８が固設され、この基布８の下端部の水平方向の長手方向に沿って面ファスナー４ｄが固設され、リュック本体Ｓ１の底面の外側の水平方向の長手方向に面ファスナー４ｄが固設される。
【０１８２】
リュック本体Ｓ１の内側の一対の肩ベルト５Ｓが設けられた壁面の下端の長手方向に設けられた基布８に固設された面ファスナー４ｄと断熱体２Ａの上端部を形成する小断熱体２（２ａ）の表面の上端部の水平方向の長手方向に設けられた面ファスナー４ｃが接合され、リュック本体Ｓ１の底面の外側の端部の水平方向の長手方向に沿って設けられた面ファスナー４ｄと断熱体２Ａの上端部を形成する小断熱体２（２ａ）の表面の下端部の水平方向の長手方向に設けられた面ファスナー４ａが接合されることで、リュックＳと携帯マット１Ａが脱着自在に接合される。
【０１８３】
この実施形態の携帯マット１Ａは断熱体２Ａの上端部を形成する小断熱体２（２ａ）の表面の下端部の水平方向の長手方向に設けられた面ファスナー４ｃとリュック本体Ｓ１の底面の外側の水平方向の長手方向に設けられた面ファスナー４ｄが離脱されることで、断熱体２Ａの上端部を形成する小断熱体２（２ａ）を下方向に展開することができるので、第十八実施形態における携帯マット１Ａより縦に長い範囲で使用することができる。この実施形態における携帯マット１Ａの他の効果は第十八実施形態における携帯マット１Ａと同様の効果がある。
【実施例２０】
【０１８４】
この発明の第二十実施形態を、図３５に示す。図３５は、この発明の第二十実施形態を示す携帯マット１ＡがリュックＳに取り付けられた状態を示す側面図である。
携帯マット１Ａは第一実施形態で示した携帯マット１Ａと同じ構成要素で構成され、携帯マット１Ａが蛇腹状に折り畳たまれ、断熱体２Ａが水平方向に置かれた状態で、断熱体２Ａの上端部を形成する小断熱体２（２ａ）の表面の上端部の水平方向の長手方向に沿って長方形の基布８が固設され、この基布８の上端部の水平方向の長手方向に沿って面ファスナー４ｃが固設され、断熱体２Ａの上端部を形成する小断熱体２（２ａ）の表面の下端部の水平方向の長手方向に沿って面ファスナー４ｃが固設される。
【０１８５】
図３５に示すように、リュックＳは、第十八実施形態で示したリュックＳと同じ構成要素で構成され、リュック本体Ｓ１の一対の肩ベルト５Ｓが設けられた内側の壁面の下端部の水平方向の長手方向に面ファスナー４ｄが固設され、リュック本体Ｓ１の底面の外側の端部の水平方向の長手方向に面ファスナー４ｄが固設される。
【０１８６】
携帯マット１Ａが蛇腹状に折り畳たまれ、断熱体２Ａが水平方向に置かれた状態で、リュック本体Ｓ１の一対の肩ベルト５Ｓが設けられた壁面の下端部の水平方向の長手方向に設けられる面ファスナー４ｄと断熱体２Ａの上端部を形成する小断熱体２（２ａ）の表面の上端部の水平方向の長手方向に設けられた基布８の上端の水平方向の長手方向に設けられる面ファスナー４ｃが接合される。
【０１８７】
さらに、リュック本体Ｓ１の底面の外側の水平方向の長手方向に設けられた面ファスナー４ｄと断熱体２Ａの上端部を形成する小断熱体２（２ａ）の表面の下端部の水平方向の長手方向に固設される面ファスナー４ｃが接合されることで、リュックＳと携帯マット１Ａが脱着自在に接合される。
【０１８８】
この実施形態の携帯マット１Ａは断熱体２Ａの上端部を形成する小断熱体２（２ａ）の表面の下端部の水平方向に固設された面ファスナー４ｃとリュック本体１の底面の外側の水平方向に固設される面ファスナー４ｄが離脱されることで、断熱体２Ａの上端部を形成する小断熱体２（２ａ）を下方向に展開することができるので、第十八実施形態における携帯マット１Ａより縦に長い範囲で使用することができる。この実施形態における携帯マット１Ａの他の効果は第十八実施形態における携帯マット１Ａと同様の効果がある。
【実施例２１】
【０１８９】
この発明の第二十一実施形態を、図３６に示す。図３６は、この発明の第二十一実施形態を示す携帯マット１ＡがリュックＳに取り付けられた状態を示す側面図である。
携帯マット１Ａは第一実施形態で示した携帯マット１Ａと同じ構成要素で構成され、携帯マット１Ａが蛇腹状に折り畳たまれ、断熱体２Ａが水平方向に置かれた状態で、断熱体２Ａの上端部を形成する小断熱体２（２ａ）の表面の下端部の水平方向の長手方向に面ファスナー４ｃが固設され、断熱体２Ａの下端部を形成する小断熱体２（２ａ）の底面の下端部の水平方向の長手方向に面ファスナー４ｃが固設される。
【０１９０】
図３６に示すように、リュックＳは、第十八実施形態で示したリュックＳと同じ構成要素で構成され、リュック本体Ｓ１の内側の一対の肩ベルト５Ｓが固設される壁面の下端部の水平方向の長手方向に沿って横長の長方形の基布８が固設され、この基布８の下端部の水平方向の長手方向に面ファスナー４ｄが固設され、リュック本体Ｓ１の底面の外側の端部の水平方向の長手方向に沿って面ファスナー４ｄが固設される。
【０１９１】
リュック本体Ｓ１の内側の一対の肩ベルト５Ｓが設けられた壁面の下端に固設された基布８が垂れ下げられた状態で、基布８の下端部に設けられた面ファスナー４ｄと断熱体２Ａの下端部を形成する小断熱体２（２ａ）の底面の下端部の水平方向の長手方向に設けられた面ファスナー４ｃが接合される。
【０１９２】
さらに、断熱体２Ａの上端部を形成する小断熱体２（２ａ）の表面の下端部の水平方向の長手方向に設けられた面ファスナー４ｃとリュック本体Ｓ１の底面の外側の水平方向の長手方向に設けられた面ファスナー４ｄが接合されることで、リュックＳと携帯マット１Ａが脱着自在に接合される。
【０１９３】
この実施形態の携帯マット１Ａは断熱体２Ａの上端部を形成する小断熱体２（２ａ）の表面の下端部の水平方向に固設される面ファスナー４ｃとリュック本体１の底面の外側の水平方向に固設される面ファスナー４ｄが離脱されることで、リュック本体Ｓ１の内側の一対の肩ベルト５Ｓが設けられた壁面の下端に固設された基布８の縦の長さを含めて断熱体２Ａを展開することができるので、第十八実施形態における携帯マット１Ａより縦に長い範囲で使用することができる。この実施形態における携帯マット１Ａの他の効果は第十八実施形態における携帯マット１Ａと同様の効果がある。
【実施例２２】
【０１９４】
この発明の第二十二実施形態を、図３７に示す。図３７は、この発明の第二十二実施形態を示す携帯マット１ＡがリュックＳに取り付けられた状態を示す側面図である。
携帯マット１Ａは第一実施形態で示した携帯マット１Ａと同じ構成要素で構成され、携帯マット１Ａが蛇腹状に折り畳たまれ、断熱体２Ａが水平方向に置かれた状態で、断熱体２Ａの上端部を形成する小断熱体２（２ａ）の上端小口の水平方向の長手方向に沿って面ファスナー４ｃが固設され、断熱体２Ａの上端部を形成する小断熱体２（２ａ）の表面の下端部の水平方向の長手方向に沿って面ファスナー４ｃが固設される。
【０１９５】
図３７に示すようにリュックＳは、第十八実施形態で示したリュックＳと同じ構成要素で構成され、リュック本体Ｓ１の一対の肩ベルト５Ｓが設けられた壁面の下端部の水平方向の長手方向に沿って横長の長方形の基布８が固設され、この基布８の下端部の水平方向の長手方向に沿って面ファスナー４ｄが固設され、リュック本体Ｓ１の底面の外側の端部の水平方向の長手方向に面ファスナー４ｄが固設される。
【０１９６】
携帯マット１Ａが蛇腹状に折り畳たまれ、断熱体２Ａが水平方向に置かれた状態で、リュック本体Ｓ１の一対の肩ベルト５Ｓが設けられた壁面の下端部の水平方向の長手方向に設けられた基布８の下端部に固設された面ファスナー４ｄと断熱体２Ａの上端部を形成する小断熱体２（２ａ）の上端小口の水平方向の長手方向に設けられた面ファスナー４ｃが接合される。
【０１９７】
さらに、リュック本体Ｓ１の底面の外側の水平方向の長手方向に設けられた面ファスナー４ｄと断熱体２Ａの上端部を形成する小断熱体２（２ａ）の表面の下端部の水平方向の長手方向に固設された面ファスナー４ｃが接合されることで、リュックＳと携帯マット１Ａが脱着自在に接合される。
【０１９８】
この実施形態の携帯マット１Ａは断熱体２Ａの上端部を形成する小断熱体２（２ａ）の表面の下端部の水平方向に固設される面ファスナー４ｃとリュック本体１の底面の外側の水平方向に固設される面ファスナー４ｄが離脱されることで、断熱体２Ａの上端部を形成する小断熱体２（２ａ）を展開することができるので、第十八実施形態における携帯マット１Ａより縦に長い範囲で使用することができる。この実施形態における携帯マット１Ａの他の効果は第十八実施形態における携帯マット１Ａと同様の効果がある。
【実施例２３】
【０１９９】
この発明の第二十三実施形態を、図３８、図３９に示す。図３８は、この発明の第二十三実施形態を示す携帯マット１ＨがリュックＳに脱着自在に取り付けられた状態を示す側面図、図３９はこの発明の第二十三実施形態を示す携帯マット１Ｈが展開された平面図である。
【０２００】
図３８に示すように、リュックＳは、第十八実施形態のリュックＳと同じ構成要素で構成され、リュック本体Ｓ１の内側の一対の肩ベルト５Ｓが固設される壁面の下端部の水平方向の長手方向に沿って、横長の長方形の基布８が固設され、この基布８の下端部の水平方向の長手方向に面ファスナー４ｃが固設され、リュック本体Ｓ１の底面の両端部の水平方向の長手方向に一対の面ファスナー４ｄが固設される。
【０２０１】
図３９に示すように、携帯マット１Ｈは第九実施形態に示す携帯マット１Ｈと同様の構成要素で構成される。携帯マット１Ｈは連結断熱体１１Ａから構成され、この連結断熱体１１Ａは一対の断熱体２Ａから形成される。これらの断熱体２Ａは、第一実施形態で示した断熱体２Ａと同じ構成要素で構成され、断熱体２Ａの上端部を形成する小断熱体２（２ａ）の表面の上端の水平方向に沿って基布８が固設され、この基布８に対応する長方形の面ファスナー４ｄが長手方向に固設される。
【０２０２】
断熱体２Ａの上端部を形成する小断熱体２（２ａ）の表面の下端部の長手方向に沿って面ファスナー４ｃが固設され、断熱体２Ａの下端部を形成する小断熱体２（２ａ）の底面の上端部の水平方向に面ファスナー４ｄが固設され、下端部の水平方向に沿って面ファスナー４ｃが固設される。
【０２０３】
図３８に示すように、携帯マット１Ｈを構成する連結断熱体１１Ａは一対の断熱体２Ａが蛇腹状に折り畳まれ水平に置かれた状態で、上部を構成する一方の断熱体２Ａの下端部を形成する小断熱体２（２ａ）の底面の上端部に設けられた面ファスナー４ｄと下端部に設けられた面ファスナー４ｃが、もう一方の断熱体２Ａの下端部を形成する小断熱体２（２ａ）の底面に設けられた面ファスナー４ｄと面ファスナー４ｃに互い違いに接合され、一対の断熱体２Ａが四角立方体状で脱着自在に連結されることで連結断熱体１１Ａが形成される。
【０２０４】
この状態で連結断熱体１１Ａの上部を構成する断熱体２Ａの上端部を形成する小断熱体２（２ａ）の表面の上端部に固設された基布８の水平方向の長手方向に設けられた面ファスナー４ｄとリュック本体Ｓ１の内側の一対の肩ベルト５Ｓが設けられた壁面の下端部の水平方向の長手方向に沿って固設された基布８に設けられた面ファスナー４ｃが接合される。
【０２０５】
さらに、連結断熱体１１Ａの上部を構成する断熱体２Ａの上端部を形成する小断熱体２（２ａ）の表面の下端部の水平方向の長手方向に設けられた面ファスナー４ｃとリュック本体Ｓ１の底面の外側の水平方向の長手方向に設けられた面ファスナー４ｄが接合されることで、リュックＳと携帯マット１Ｈが脱着自在に接合される。
【０２０６】
この実施形態の携帯マット１Ｈは連結断熱体１１Ａの上部を構成する断熱体２Ａの上端部を形成する小断熱体２（２ａ）の表面の下端部の水平方向に固設される面ファスナー４ｃとリュック本体Ｓ１の底面の外側の水平方向に固設される面ファスナー４ｄが離脱されることで、断熱体２Ａの上端部を形成する小断熱体２（２ａ）を下方向に展開することができるので、第十八実施形態における携帯マット１Ａより縦に長い範囲で使用することができる。この実施形態における携帯マット１Ｈの他の効果は第十八実施形態における携帯マット１Ａと同様の効果がある。
【０２０７】
図３８に示すように、連結断熱体１１Ａの上部を構成する断熱体２Ａの上端部を形成する小断熱体２（２ａ）の表面の上端部の水平方向の長手方向に固設された基布８の長手方向に設けられた面ファスナー４ｄとリュック本体Ｓの内側の一対の肩ベルト５Ｓが固設される壁面の下端部の水平方向の長手方向に沿って設けられた基布８に固設された面ファスナー４ｃが離脱される。
【０２０８】
さらに、リュック本体Ｓ１の底面の外側の端部の水平方向の長手方向に設けられた面ファスナー４ｄと連結断熱体１１Ａの上部を構成する断熱体２Ａの上端部を形成する小断熱体２（２ａ）の表面の下端部に設けられた面ファスナー４ｃを離脱させることで、携帯マット１ＨをリュックＳから取り外す。
【０２０９】
この状態の携帯マット１Ｈの連結断熱体１１Ａの上部を構成する断熱体２Ａの下端部を形成する小断熱体２（２ａ）の底面の上下の端部に設けられた面ファスナー（４ｃ、４ｄ）と連結断熱体１１Ａの下部を構成する断熱体２Ａの上端部を形成する小断熱体２（２ａ）の表面の上下の端部に設けられた面ファスナー（４ｃ、４ｄ）を離脱させる。
【０２１０】
図３９に示すように、連結断熱体１１Ａの上部を構成する断熱体２Ａの下端部を形成する小断熱体２（２ａ）の下端部の水平方向に固設された面ファスナー４ｃと連結断熱体１１Ａの下部を構成する断熱体２Ａの上部を形成する小断熱体２（２ａ）の上端に設けられた基布８の上端部の水平方向に固設された面ファスナー４ｄが接合されることで一対の断熱体２Ａが脱着自在に接合され、一対の断熱体２Ａが展開された状態で連結されることにより携帯マット１Ｈを簡易マットとして使用することができる。
【実施例２４】
【０２１１】
この発明の第二十四実施形態を、図４０、図４１に示す。図４０はこの発明の第二十四実施形態を示す携帯マット１ＳがリュックＳに取り付けられた状態を示す側面図、図４１は携帯マット１Ｓが展開されたことを示す平面図である。
図４０に示すように、携帯マット１Ｓは連結断熱体１１Ｈから構成され、連結断熱体１１Ｈは、下部を構成する断熱体２Ａと上部を構成する断熱体２Ｄから構成される。
【０２１２】
図４０に示すように、リュックＳは第十八実施形態におけるリュックＳと同じ構成要素で構成され、リュック本体Ｓ１は一対の肩ベルト５Ｓが固設される内側の壁面の上部の両端部の垂直方向に沿って長方形の面ファスナー４ｆが縫製などで固設され、下部の両端部の垂直方向の長手方向に沿って面ファスナー４ｅが縫製などで固設され、底面の外側の端部の水平方向の長手方向に沿って面ファスナー４ｄが縫製などで固設される。
【０２１３】
図４１に示すように、断熱体２Ｄは第五実施形態における断熱体２Ｄと同じ構成要素で構成され、断熱体２Ｄの上部を形成する小断体２（２ｄ）の壁面の中央部の両端部に縦長の長方形の面ファスナー４ｅが垂直方向に固設され、断熱体２Ｄの下部を形成する小断熱体２ｄの壁面の中央部の両端部に縦長の長方形の面ファスナー４ｆが垂直方向に固設される。
【０２１４】
断熱体２Ｄの下部を形成する小断熱体２（２ｄ）の下端の水平方向の長手方向に沿って基布８が縫製、又は接着剤などで固設され、この基布８の下部の水平方向に面ファスナー４ｄが固設される。
【０２１５】
図４０に示すように、断熱体２Ａの上端部を形成する小断熱体２（２ａ）の表面の上端部の水平方向の長手方向に設けられた面ファスナー４ｃが断熱体２Ｄの下部を形成する小断熱体２（２ｄ）の下端に固設された基布８の下部に設けられた面ファスナー４ｄと接合されることで断熱体２Ｄと断熱体２Ａが脱着自在に接合され、連結断熱体１１Ｈが形成されると同時に携帯マット１Ｓが形成される。
【０２１６】
リュック本体Ｓ１の一対の肩ベルト５Ｓが設けられた壁面の上部の両端部に設けられた面ファスナー４ｆと断熱体２Ｄの上部を形成する小断熱体２（２ｄ）の壁面の両端部に設けられた一対の面ファスナー４ｅ、リュック本体Ｓ１の一対の肩ベルト５Ｓが設けられた壁面の下部の両端部に設けられた面ファスナー４ｅと断熱体２Ｄの下部を形成する小断熱体２ｄの壁面の両端部に設けられた面ファスナー４ｆ、リュック本体Ｓ１の底面の外側に設けられた面ファスナー４ｄと断熱体２Ａの上端部を形成する小断熱体２（２ａ）の表面の下端部の水平方向の長手方向に固設された面ファスナー４ｃが接合されることで携帯マット１ＳがリュックＳに脱着自在に接合される。
【０２１７】
この実施形態の携帯マット１Ｓは連結断熱体１１Ｈの下部を構成する断熱体２Ａの上端部を形成する小断熱体２（２ａ）の表面の下端部の水平方向に固設された面ファスナー４ｃとリュック本体Ｓ１の底面の外側の水平方向に固設された面ファスナー４ｄが離脱されることで、断熱体２Ａの上端部を形成する小断熱体２（２ａ）を下方向に展開することができるので、第十八実施形態における携帯マット１Ａより縦に長い範囲で使用することができる。この実施形態における携帯マット１Ａの他の効果は第十八実施形態における携帯マット１Ａと同様の効果がある。
【０２１８】
携帯マット１ＳがリュックＳから取り外され、連結断熱体１１Ｈが蛇腹状に折り畳まれる場合は、断熱体２Ｄの上部を形成する小断熱体２（２ｄ）の壁面の上部の両端部に固設される方形の面ファスナー４ａと、断熱体２Ｄの下部を構成する小断熱体２（２ｄ）の壁面の下部の両端部に固設される方形の面ファスナー４ｂが接合されることで、小断熱体２（２ｄ）同士が脱着自在に接合され、断熱体２Ｄが脱着自在に折り畳まれる。
【０２１９】
さらに、断熱体２Ｄの下部を形成する小断熱体２ｄの壁面の両端部の垂直方向に設けられた面ファスナー４ｆと断熱体２Ａの上端部を形成する小断熱体２（２ａ）の表面の下端部に設けられた面ファスナー４ｃが脱着自在に接合され、連結断熱体１１Ｈが四角立方体状に折り畳まれる。
【０２２０】
携帯マット１Ｓを構成する連結断熱体１１Ｈは上部を形成する断熱体２Ｄと下部を形成する断熱体２Ａから構成され、上部を構成する断熱体２Ｄはメッシュ素材で形成された小断熱体２（２ｄ、２ｄ）が連結されることで形成され、リュックと人体の間に空気を通すことができるので、人体からの発汗がある場合に、その発汗を抑制する効果がある。
【０２２１】
また、連結断熱体１１Ｈの下部を構成する断熱体２Ａは第十八実施形態と同様の効果がある。断熱体２Ａが必要のない場合は、リュック本体Ｓ１の底面の外側の端部に設けられた面ファスナー４ｄと断熱体２Ａの上端部を形成する小断熱体２（２ａ）の表面の下端部に設けられた面ファスナー４ｃを離脱させる。
【０２２２】
さらに、断熱体２Ｄの下端部を形成する小断熱体２（２ｄ）の下端に固設された基布８の下部に設けられた面ファスナー４ｄと断熱体２Ａの上端部を形成する小断熱体２（２ａ）の表面の上端部に設けられた面ファスナー４ｃを離脱させ、連結断熱体１１Ｈから断熱体２Ａを離脱させることでリュックＳから断熱体２Ａを取り外して使用することができる。
【０２２３】
又、携帯マット１ＳはリュックＳから取り外して簡易マットとして使用することができる。図４０に示すように、携帯マット１Ｓを構成する連結断熱体１１Ｈの上部を構成する断熱体２Ｄの上部を形成する小断熱体２（２ｄ）の両端部の垂直方向に設けられた一対の面ファスナー４ｅとリュック本体Ｓ１の上部の両端部の垂直方向に設けられた一対の面ファスナー４ｆを離脱させる。
【０２２４】
その状態で、連結断熱体１１Ｈの上部を構成する断熱体２Ｄの下部を形成する小断熱体２（２ｄ）の両端部の垂直方向に設けられた一対の面ファスナー４ｆとリュック本体Ｓ１の下部の両端部の垂直方向に設けられた一対の面ファスナー４ｅを離脱させる。
【０２２５】
さらに、連結断熱体１１Ｈの下部を構成する断熱体２Ａの上端部を形成する小断熱体２（２ａ）の表面の下端部の長手方向に設けられた面ファスナー４ｃとリュック本体Ｓ1の底面の外側の端部の長手方向に設けられた面ファスナー４ｄを離脱させることで、図４１に示すように、連結断熱体１１Ｈを展開させることで携帯マット１Ｓは簡易マットとして使用することができる。
【実施例２５】
【０２２６】
この発明の第二十五実施形態を、図４２に示す。図４２は、この発明の第二十五実施形態を示す携帯マット１ＡがリュックＳに脱着自在に取り付けられた状態を示す側面図である。携帯マット１Ａは第一実施形態で示した携帯マット１Ａと同じ構成要素で構成される。
【０２２７】
図４２に示すように、リュックＳは第十八実施形態におけるリュックＳと同じ構成要素で構成され、リュック本体Ｓ１の一対の肩ベルト５Ｓが設けられた壁面の下端部の水平方向の長手方向に沿って、横長の長方形の基布８が固設され、この基布８の下端部の水平方向の長手方向に面ファスナー４ｄが設けられる。携帯マット１Ａは第一実施形態における携帯マット１Ａと同じ構成要素で構成される。
【０２２８】
縦長の長方形平板状の断熱体２Ａは蛇腹状に折り畳まれ垂直方向に置かれた状態で、断熱体２Ａの上端部を形成する小断熱体２（２ａ）の表面の上端部の水平方向の長手方向に、基布８が固設され、この基布８の上部の水平方向の長手方向に面ファスナー４ｃが固設される。
【０２２９】
リュック本体Ｓ１の一対の肩ベルト５Ｓが設けられた壁面の下端部の水平方向の長手方向に設けられた基布８の下端部に固設された面ファスナー４ｄと断熱体２Ａの上端部を形成する小断熱体２（２ａ）の上端部の水平方向の長手方向に設けられた基布８の水平方向に固設された面ファスナー４ｃが接合されることで、リュックＳと携帯マット１Ａは脱着自在に接合される。
【０２３０】
この実施形態における携帯マット１Ａの効果は第十九、第二十、第二十一、第二十二実施形態における携帯マット１Ａと同様の効果がある。
この実施形態における携帯マット１ＡをリュックＳから離脱させ、さらに同様の携帯マット１Ａを接合させることで一対の携帯マット１Ａを連結さて簡易マットとして使用することができる。
【０２３１】
一対の携帯マット１Ａを展開させ、一方の携帯マット１Ａの断熱体２Ａの上端部を形成する小断熱体２（２ａ）の上端部の水平方向の長手方向に設けられた基布８の水平方向に固設された面ファスナー４ｃともう一方の携帯マット１Ａの断熱体２Ａの下端部を形成する小断熱体２（２ａ）の下端の両端に固設された面ファスナー４ｂを接合させることにより一対の携帯マット１Ａが連結される。
【実施例２６】
【０２３２】
この発明の第二十六実施形態を、図４３、図４４に示す。図４３はこの発明の第二十六実施形態を示す、携帯マット１Ａがクーラー魚籠Ｂに脱着自在に取り付けられた状態の斜視図、図４４は携帯マット１Ａがクーラー魚籠Ｂに脱着自在に取り付けられた状態の側面図である。携帯マット１Ａは第一実施形態で示した携帯マット１Ａと同じ構成要素で構成される。
【０２３３】
図４３に示すように、クーラー魚籠Ｂはビニロン、ポリエステル、ナイロンなどの化学合成繊維の素材で形成されたクーラー魚籠本体Ｂ１と、上部を構成するクーラー魚籠上蓋Ｂ２と、クーラー魚籠本体Ｂ１の内側の壁面の上部に固設される一対のベルト環５ｂから構成される。図４４に示すように、この実施形態を示すクーラー魚籠Ｂを構成するクーラー魚籠本体Ｂ１は底面の内側と外側の両端部の長手方向に沿って一対の面ファスナー４ｄが接着剤、又は高周波ウエルダーなどで固設される。
【０２３４】
携帯マット１Ａが蛇腹状に折り畳たまれ、断熱体２Ａが水平方向に置かれた状態で、断熱体２Ａの上端部を形成する小断熱体２（２ａ）の表面の上端部及び下端部の水平方向の長手方向に沿って設けられた一対の面ファスナー４ｃとクーラー魚籠本体Ｂ１の底面の内側と外側の両端部の水平方向の長手方向に設けられた一対の面ファスナー４ｄが接合されることで携帯マット１Ａとクーラー魚籠Ｂが脱着自在に接合される。
【０２３５】
携帯マット１Ａはクーラー魚籠本体Ｂ１の底面の両端部の長手方向に設けられた面ファスナー４ｄと断熱体２Ａの上端部を形成する小断熱体２（２ａ）の表面の上下端部の長手方向に設けられた面ファスナー４ｃが接合された状態で、断熱体２Ａの上端部を形成する小断熱体２（２ａ）と連結される複数の小断熱体２（２ａ）を蛇腹状に脱着自在に展開、又は折り畳みすることができる。
【０２３６】
そのため、クーラー魚籠Ｂが人体に取り付けられた状態であっても、携帯マット１Ａの展開、又は縮小、収納が容易であり、緊急を要する場合に於いても有効である。また、断熱体２Ａを展開して使用する場合に於いて、小断熱体２（２ａ）を重ねて使用することができるので、クッション性の調整、又は人体を覆う拡張範囲を容易に調整することができる。
【実施例２７】
【０２３７】
この発明の第二十七実施形態を、図４５に示す。
図４５はこの発明の第二十七実施形態を示す、携帯マット１Ａがクーラー魚籠Ｂに脱着自在に取り付けられた状態の側面図である。
携帯マット１Ａは第一実施形態で示した携帯マット１Ａと同じ構成要素で構成される。
【０２３８】
図４５に示すように、クーラー魚籠Ｂは第二十六実施形態で示したクーラー魚籠Ｂと同じ構成要素で構成され、クーラー魚籠Ｂの本体を構成するクーラー魚籠本体Ｂ１は、内側の一対のベルト環５ｂが固設された壁面の下端の水平方向の長手方向に沿って長方形の基布８が設けられ、この基布８の下端部の水平方向の長手方向に沿って面ファスナー４ｄが固設され、クーラー魚籠本体Ｂ１の底面の外側の水平方向の長手方向に面ファスナー４ｄが設けられる。
【０２３９】
携帯マット１Ａが蛇腹状に折り畳たまれ、断熱体２Ａが水平方向に置かれた状態で、クーラー魚籠本体Ｂ１の内側の一対のベルト環５ｂが設けられた壁面の下端の長手方向に基布８が設けられ、この基布８の下端に固設された面ファスナー４ｄと断熱体２Ａの上端部を形成する小断熱体２（２ａ）の表面の上端部の水平方向の長手方向に設けられた面ファスナー４ｃが接合され、クーラー魚籠本体Ｂ１の底面の外側の端部の水平方向の長手方向に沿って設けられた面ファスナー４ｄと断熱体２Ａの上端部を形成する小断熱体２（２ａ）の表面の下端部に設けられた面ファスナー４ｃが接合されることで、クーラー魚籠Ｂと携帯マット１Ａが脱着自在に接合される。
【０２４０】
この実施形態の携帯マット１Ａは断熱体２Ａの上端部を形成する小断熱体２（２ａ）の下端部の水平方向に固設される面ファスナー４ｃとクーラー魚籠本体Ｂ１の底面の外側の水平方向に固設される面ファスナー４ｄが離脱されることで、断熱体２Ａの上端部を形成する小断熱体２（２ａ）を下方向に展開することができるので、第二十六実施形態における携帯マット１Ａより縦に長い範囲で使用することができる。この実施形態における携帯マット１Ａの他の効果は第二十六実施形態における携帯マット１Ａと同様の効果がある。
【実施例２８】
【０２４１】
この発明の第二十八実施形態を、図４６に示す。
図４６はこの発明の第二十八実施形態を示す携帯マット１Ａがクーラー魚籠Ｂに脱着自在に取り付けられた状態の側面図である。
携帯マット１Ａは第一実施形態で示した携帯マット１Ａと同じ構成要素で構成される。
【０２４２】
図４６に示すように、クーラー魚籠Ｂは、第二十六実施形態で示したクーラー魚籠Ｂと同じ構成要素で構成され、クーラー魚籠本体Ｂ１の一対のベルト環５ｂが設けられた壁面の下端部の水平方向の長手方向に面ファスナー４ｄが固設され、クーラー魚籠本体Ｂ１の底面の外側の端部の水平方向の長手方向に面ファスナー４ｄが固設される。
【０２４３】
携帯マット１Ａが蛇腹状に折り畳たまれ、断熱体２Ａが水平方向に置かれた状態で、クーラー魚籠本体Ｂ１の一対のベルト環５ｂが設けられる壁面の下端部の水平方向の長手方向に設けられた面ファスナー４ｄと断熱体２Ａの上端部を形成する小断熱体２（２ａ）の表面の上端部の水平方向の長手方向に固設された基布８の長手方向に設けられた面ファスナー４ｃが接合される。
【０２４４】
さらに、クーラー魚籠本体Ｂ１の底面の外側の水平方向の長手方向に設けられた面ファスナー４ｄと断熱体２Ａの上端部を形成する小断熱体２（２ａ）の表面の下端部の水平方向の長手方向に固設された面ファスナー４ｃが接合されることで、クーラー魚籠Ｂと携帯マット１Ａが脱着自在に接合される。
【０２４５】
この実施形態の携帯マット１Ａは断熱体２Ａの上端部を形成する小断熱体２（２ａ）の下端部の水平方向に固設される面ファスナー４ｃとクーラー魚籠本体Ｂ１の底面の外側の水平方向に固設される面ファスナー４ｄが離脱されることで、断熱体２Ａの上端部を形成する小断熱体２（２ａ）を下方向に展開することができるので、第二十六実施形態における携帯マット１Ａより縦に長い範囲で使用することができる。この実施形態における携帯マット１Ａの他の効果は第二十六実施形態における携帯マット１Ａと同様の効果がある。
【実施例２９】
【０２４６】
この発明の第二十九実施形態を、図４７に示す。
図４７はこの発明の第二十九実施形態を示す携帯マット１Ａがクーラー魚籠Ｂに脱着自在に取り付けられた状態の側面図である。
携帯マット１Ａは第一実施形態で示した携帯マット１Ａと同じ構成要素で構成される。
【０２４７】
図４７に示すように、クーラー魚籠Ｂは、第二十六実施形態で示したクーラー魚籠Ｂと同じ構成要素で構成され、クーラー魚籠本体Ｂ１の内側の一対のベルト環５ｂが固設される壁面の下端部の水平方向の長手方向に沿って横長の長方形の基布８が設けられ、この基布８の下端部の水平方向の長手方向に面ファスナー４ｄが固設され、クーラー魚籠本体Ｂ１の底面の外側の端部の水平方向の長手方向に沿って面ファスナー４ｄが固設される。
【０２４８】
携帯マット１Ａが蛇腹状に折り畳たまれ、断熱体２Ａが水平方向に置かれた状態で、クーラー魚籠本体Ｂ１の内側の一対のベルト環５ｂが設けられた壁面の下端に固設された基布８が垂れ下げられた状態で、基布８の下端部に設けられた面ファスナー４ｄと断熱体２Ａの下端部を形成する小断熱体２（２ａ）の底面の下端部の水平方向の長手方向に設けられた面ファスナー４ｃが接合される。
【０２４９】
さらに、断熱体２Ａの上端部を形成する小断熱体２（２ａ）の表面の下端部の水平方向の長手方向に設けられた面ファスナー４ｃとクーラー魚籠本体Ｂ１の底面の外側の水平方向の長手方向に設けられた面ファスナー４ｄが接合されることで、クーラー魚籠Ｂと携帯マット１Ａが脱着自在に接合される。
【０２５０】
この実施形態の携帯マット１Ａは断熱体２Ａの上端部を形成する小断熱体２（２ａ）の表面の下端部に固設される面ファスナー４ｃとクーラー魚籠本体Ｂ１の底面の外側の水平方向に固設される面ファスナー４ｄが離脱されることで、クーラー魚籠本体Ｂ１の内側の一対のベルト環５ｂが設けられた壁面の下端に固設された基布８を含めて断熱体２Ａを下方向に展開することができるので、第二十六実施形態における携帯マット１Ａより縦に長い範囲で使用することができる。この実施形態における携帯マット１Ａの他の効果は第二十六実施形態における携帯マット１Ａと同様の効果がある。
【実施例３０】
【０２５１】
この発明の第三十実施形態を、図４８に示す。
図４８はこの発明の第三十実施形態を示す携帯マット１Ａがクーラー魚籠Ｂに脱着自在に取り付けられた状態の側面図である。
携帯マット１Ａは第一実施形態で示した携帯マット１Ａと同じ構成要素で構成される。
【０２５２】
図４８に示すようにクーラー魚籠Ｂは、第二十六実施形態で示したクーラー魚籠Ｂと同じ構成要素で構成され、クーラー魚籠本体Ｂ１の一対のベルト環５ｂが設けられた壁面の下端部の水平方向の長手方向に沿って横長の長方形の基布８が設けられ、この基布８の下端部の水平方向の長手方向に沿って面ファスナー４ｄが固設され、クーラー魚籠本体Ｂ１の底面の外側の端部の水平方向の長手方向に面ファスナー４ｄが固設される。
【０２５３】
携帯マット１Ａが蛇腹状に折り畳たまれ、断熱体２Ａが水平方向に置かれた状態で、クーラー魚籠本体Ｂ１の一対のベルト環５ｂが設けられた壁面の下端部の水平方向の長手方向に設けられた基布８の下端部に固設された面ファスナー４ｄと断熱体２Ａの上端部を形成する小断熱体２（２ａ）の上端小口の水平方向の長手方向に設けられた面ファスナー４ｃが接合される。
【０２５４】
さらに、クーラー魚籠本体Ｂ１の底面の外側の水平方向の長手方向に設けられた面ファスナー４ｄと断熱体２Ａの上端部を形成する小断熱体２（２ａ）の下端部の水平方向の長手方向に固設された面ファスナー４ｃが接合されることで、クーラー魚籠Ｂと携帯マット１Ａが脱着自在に接合される。
【０２５５】
この実施形態の携帯マット１Ａは断熱体２Ａの上端部を形成する小断熱体２（２ａ）の下端部の長手方向に固設される面ファスナー４ｃとクーラー魚籠本体Ｂ１の底面の外側の水平方向に固設される面ファスナー４ｄが離脱されることで、断熱体２Ａの上端部を形成する小断熱体２（２ａ）を下方向に展開することができるので、第二十六実施形態における携帯マット１Ａより縦に長い範囲で使用することができる。この実施形態における携帯マット１Ａの他の効果は第二十六実施形態における携帯マット１Ａと同様の効果がある。
【実施例３１】
【０２５６】
この発明の第三十一実施形態を、図４９に示す。図４９は、この発明の第三十一実施形態を示す、携帯マット１Ｈがクーラー魚籠Ｂに脱着自在に取り付けられた状態を示す側面図である。
【０２５７】
図４９に示すように、クーラー魚籠Ｂは、第二十六実施形態のクーラー魚籠Ｂと同じ構成要素で構成され、クーラー魚籠本体Ｂ１の内側の一対のベルト環５ｂが固設される壁面の下端部の水平方向の長手方向に沿って、横長の長方形の基布８が設けられ、この基布８の下端部の水平方向の長手方向に面ファスナー４ｃが固設され、クーラー魚籠本体Ｂ１の底面の内側と外側の両端部の水平方向の長手方向に一対の面ファスナー４ｄが固設される。
【０２５８】
図４９に示すように、携帯マット１Ｈは第二十三実施形態で示した携帯マット１Ｈと同じ構成要素で構成され、一対の断熱体２Ａが第二十三実施形態で示した一対の断熱体２Ａと同様の実施形態で脱着自在に連結されることで形成される。
【０２５９】
連結断熱体１１Ａの上部を構成する断熱体２Ａの上端部を形成する小断熱体２（２ａ）の下端部の水平方向の長手方向に設けられた面ファスナー４ｃとクーラー魚籠本体Ｂ１の底面の外側の水平方向の長手方向に設けられた面ファスナー４ｄが接合され、連結断熱体１１Ａの上部を構成する断熱体２Ａの上端部を形成する小断熱体２（２ａ）の表面の上端部の水平方向の長手方向に固設された基布８の裏面の端部の長手方向に設けられた面ファスナー４ｄとクーラー魚籠本体Ｂ１の内側の一対のベルト環５ｂが設けられた壁面の下端部の水平方向の長手方向に沿って固設された基布８の長手方向に設けられた面ファスナー４ｃが接合されることで、クーラー魚籠Ｂと携帯マット１Ｈが脱着自在に接合される。
【０２６０】
この実施形態の携帯マット１Ｈは断熱体２Ａの上端部を形成する小断熱体２（２ａ）の下端部の水平方向に固設された面ファスナー４ｃとクーラー魚籠本体Ｂ１の底面の外側の水平方向に固設された面ファスナー４ｄが離脱されることで、断熱体２Ａの上端部を形成する小断熱体２（２ａ）を下方向に展開することができるので、第二十六実施形態における携帯マット１Ａより縦に長い範囲で使用することができる。この実施形態における携帯マット１Ａの他の効果は第二十六実施形態における携帯マット１Ａと同様の効果がある。
【０２６１】
携帯マット１Ｈをクーラー魚籠Ｂから取り外して使用する場合は、第二十三実施形態に示した携帯マット１Ｈの実施形態と同様の実施形態である。
【実施例３２】
【０２６２】
この発明の第三十二実施形態を、図５０に示す。図５０は、この発明の第三十二実施形態を示す携帯マット１Ａがクーラー魚籠Ｂに脱着自在に取り付けられた状態を示す側面図である。携帯マット１Ａは第一実施形態で示した携帯マット１Ａと同じ構成要素で構成される。
【０２６３】
図５０に示すようにクーラー魚籠Ｂは第二十六実施形態におけるクーラー魚籠Ｂと同じ構成要素で構成され、クーラー魚籠本体Ｂ１の一対のベルト環５ｂが設けられた壁面の下端部の水平方向の長手方向に沿って、横長の長方形の基布８が固設され、この基布８の下端部の水平方向の長手方向に面ファスナー４ｄが設けられる。
【０２６４】
携帯マット１Ａを構成する縦長の長方形平板状の断熱体２Ａは蛇腹状に折り畳まれ垂直方向に置かれた状態で、断熱体２Ａの上端部を形成する小断熱体２（２ａ）の表面の上端の水平方向の長手方向に、基布８が固設され、この基布８の上端部の水平方向の長手方向に面ファスナー４ｃが固設される。
【０２６５】
クーラー魚籠本体Ｂ１の一対のベルト環５ｂが設けられた壁面の下端部の水平方向の長手方向に固設された基布８の下端部の水平方向の長手方向に設けられた面ファスナー４ｄと断熱体２Ａの上端部を形成する小断熱体２（２ａ）の上端の水平方向の長手方向に設けられた基布８の水平方向に固設された面ファスナー４ｃが接合されることで、クーラー魚籠Ｂと携帯マット１Ａが脱着自在に接合される。
【０２６６】
この実施形態における携帯マット１Ａの効果は第二十七、第二十八、第二十九、第三十実施形態における携帯マット１Ａと同様の効果がある。
この実施形態における携帯マット１Ａをクーラー魚籠Ｂから離脱させ、さらに同様の携帯マット１Ａを連結さて簡易マットとして使用することができる。
【０２６７】
一対の断熱体２Ａを展開させ、一方の断熱体２Ａの上端部を形成する小断熱体２（２ａ）の上端部の水平方向の長手方向に固設された面ファスナー４ｃともう一方の断熱体２Ａの下端部を形成する小断熱体２（２ａ）の下端の両端に固設された面ファスナー４ｂを接合させることにより一対の携帯マット１Ａが連結される。
【実施例３３】
【０２６８】
この発明の第三十三実施形態を、図５１に示す。
図５１はこの発明の第三十三実施形態を示す携帯マット１Ａｂがクーラー魚籠Ｂに脱着自在に取り付けられた状態の側面図である。図５１に示すように、携帯マット１Ａｂは、第二実施形態で示した携帯マット１Ａｂと同じ構成要素で構成され、携帯マット１Ａｂは断熱体２Ａ（２Ａｂ）から構成される。
【０２６９】
クーラー魚籠Ｂは第二十六実施形態で示したクーラー魚籠Ｂと同じ構成要素で構成され、一対のベルト環５ｂが設けられるクーラー魚籠本体Ｂ１の壁面の上端部と下端部の水平方向の長手方向に面ファスナー４ｄが固設され、クーラー魚籠本体Ｂ１の底面の外側の端部の水平方向の長手方向に面ファスナー４ｃが固設される。
【０２７０】
図５１に示すように、断熱体２Ａ（２Ａｂ）の上端部を形成する小断熱体２（２ａｂ）の中央部に一対の縦長状の穴ｎａが形成され、この小断熱体２（２ａｂ）の上下の端部の水平方向の長手方向に面ファスナー４ｃが固設され、さらに、この小断熱体２（２ａｂ）と連結される小断熱体２（２ａ）の外側の端部の水平方向の長手方向に面ファスナー４ｄが固設される。
【０２７１】
断熱体２Ａ（２Ａｂ）の上端部を形成する小断熱体２（２ａｂ）の壁面に設けられた一対の縦長状の穴ｎａにクーラー魚籠本体Ｂ１の側面に設けられた一対のベルト環５ｂが挿入され、断熱体２Ａ（２Ａｂ）の上端部を形成する小断熱体２（２ａｂ）が垂直に立てられた状態で、小断熱体２（２ａｂ）の壁面の上下の端部の長手方向に設けられた一対の面ファスナー４ｃと、クーラー魚籠本体Ｂ１の壁面に設けられた一対の面ファスナー４ｄが接合される。
【０２７２】
さらに、クーラー魚籠本体Ｂ１の底面の外側の端部の水平方向の長手方向に沿って設けられた面ファスナー４ｃとクーラー魚籠本体Ｂ１の底面と接触する小断熱体２（２ａ）の外側の端部の水平方向の長手方向に設けられた面ファスナー４ｄが接合することでクーラー魚籠Ｂと携帯マット１Ａｂが脱着自在に接合される。
【０２７３】
携帯マット１Ａｂは断熱体２Ａ（２Ａｂ）の上端部を形成する小断熱体２（２ａｂ）がクーラー魚籠Ｂのクーラー魚籠本体Ｂ１の一対のベルト環５ｂが固設された壁面に設けられた状態なので、クーラー魚籠Ｂが一対のベルト環５ｂにベルトが通されて人体に取り付けられた場合に、人体の体温をクーラー魚籠Ｂに伝えにくいという効果がある。
【０２７４】
この実施形態の携帯マット１Ａｂの他の効果は、断熱体２Ａ（２Ａｂ）の上端部を形成する小断熱体２（２ａｂ）と連結される小断熱体２（２ａ）の外側の端部の長手方向に設けられた面ファスナー４ｄとクーラー魚籠本体Ｂ１の底面の外側の長手方向に設けられた面ファスナー４ｃが離脱され、複数の小断熱体２（２ａ）の裏面、表面の両端部に設けられた面ファスナー（４ａ、４ｂ）が離脱されることで複数の小断熱体２（２ａ）が展開され、第二十六実施形態における携帯マット１Ａと同様の効果がある。
【実施例３４】
【０２７５】
この発明の第三十四実施形態を、図５２、図５３に示す。
図５２はこの発明の第三十四実施形態を示す携帯マット１Ａｇがクーラー魚籠Ｂに脱着自在に取り付けられたことを示す斜視図、図５３は携帯マット１Ａｇがクーラー魚籠Ｂに脱着自在に取り付けられたことを示す側面図である。
【０２７６】
図５２に示すように、携帯マット１Ａｇは断熱体２Ａ（２Ａｇ）から構成され、断熱体２Ａ（２Ａｇ）は断熱体２Ａ（２Ａｇ）の上端部を形成する小断熱体２（２ａｇ）と、この小断熱体２（２ａｇ）と連結される複数の小断熱体２（２ａ）から形成される。
【０２７７】
小断熱体２（２ａｇ）が縦方向に折れ曲がり、小断熱体２（２ａ）の壁面同士が接触することができる程度に薄肉を残して、断熱体２Ａ（２Ａｇ）の壁面の水平方向に、一定の切り込み３がされることにより、小断熱体２（２ａｇ）と小断熱体２（２ａ）が形成される。同時に、小断熱体２（２ａｇ）と小断熱体２（２ａ）の間に連結部Ｒ（Ｒａ）が形成され、小断熱体２（２ａｇ）と複数の小断熱体２（２ａ）が連結される。
【０２７８】
図５２に示すように、断熱体２Ａ（２Ａｇ）の上端部を形成する小断熱体２（２ａｇ）は垂直に立てられた状態で、クーラー魚籠Ｂ１の内側に設けられた一対のベルト環５ｂに対応する一対の縦長の方形の切り欠き１０ｂが小断熱体２（２ａｇ）の上端から垂直方向に形成される。
【０２７９】
図５２、図５３に示すように、断熱体２Ａ（２Ａｇ）の上端部を形成する小断熱体２（２ａｇ）の内側の壁面の中央部の垂直方向に縦長の長方形の面ファスナー４ｍが固設され、小断熱体２（２ａｇ）と連結される小断熱体２（２ａ）の外側の端部の水平方向の長手方向に面ファスナー４ｄが固設される。携帯マット１Ａｇの他の構成要素は、第一実施形態における携帯マット１Ａと同じ構成要素で構成される。
【０２８０】
クーラー魚籠Ｂは、第二十六実施形態におけるクーラー魚籠Ｂと同じ構成要素で構成され、一対のベルト環５ｂが設けられるクーラー魚籠本体Ｂ１の壁面の中央部の垂直方向に縦長の長方形の面ファスナー４ｎが固設され、クーラー魚籠本体Ｂ１の底面の外側の端部の水平方向の長手方向に面ファスナー４ｃが固設される。
【０２８１】
断熱体２Ａ（２Ａｇ）の上端部を形成する小断熱体２（２ａｇ）の壁面に形成された縦長の方形の一対の切り欠き１０ｂにクーラー魚籠本体Ｂ１の側面に設けられた一対のベルト環５ｂが挿入され、断熱体２Ａ（２Ａｇ）の上端部を形成する小断熱体２（２ａｇ）が垂直に立てられた状態で、断熱体２Ａ（２Ａｇ）の上端部を形成する小断熱体２（２ａｇ）の壁面の中央部の垂直方向に設けられた縦長の面ファスナー４ｍと、クーラー魚籠本体Ｂ１の壁面の中央部の垂直方向に設けられた縦長の面ファスナー４ｎが接合される。
【０２８２】
さらに、図５３に示すように、クーラー魚籠本体Ｂ１の底面の外側の端部の水平方向の長手方向に設けられた面ファスナー４ｃと、この面ファスナー４ｃと接触する小断熱体２（２ａ）の外側の端部の水平方向の長手方向に設けられた面ファスナー４ｄが接合することでクーラー魚籠Ｂと携帯マット１Ａｇが脱着自在に接合される。
【０２８３】
図５２に示すように、断熱体２Ａ（２Ａｇ）の上端部を形成する小断熱体２（２ａｇ）の壁面に縦長の方形の一対の切り欠き１０ｂが形成されたので、クーラー魚籠本体Ｂ１に設けられた一対のベルト環５ｂにベルトが通された状態であっても断熱体２Ａ（２Ａｇ）の上端部を形成する小断熱体２（２ａｇ）をクーラー魚籠Ｂとベルト５の間に挿入できる。
【０２８４】
さらに、小断熱体２（２ａｇ）の壁面の中央部の垂直方向に設けられた縦長の長方形の面ファスナー４ｍとクーラー魚籠本体Ｂ１の内側の中央部の垂直方向に設けられた縦長の長方形の面ファスナー４ｎが接合されるので断熱体２Ａ（２Ａｇ）の上端部を形成する小断熱体２（２ａｇ）を垂直に立てた状態で携帯マット１Ａｇをクーラー魚籠Ｂに脱着自在に取り付けることが容易にできる。この実施形態の携帯マット１Ａｇの他の効果は第三十三実施形態における携帯マット１Ａｂと同様の効果がある。
【実施例３５】
【０２８５】
この発明の第三十五実施形態を、図５４に示す。
図５４はこの発明の第三十五実施形態を示す携帯マット１Ａがクーラー魚籠Ｂに脱着自在に取り付けられたことを示す側面図である。クーラー魚籠Ｂ第二十六実施形態におけるクーラー魚籠Ｂと同じ構成要素で構成される。
【０２８６】
図５４に示すように、携帯マット１Ａはベルト５と断熱体２Ａから構成され、ベルト５は中央部の長手方向に長方形の面ファスナー４ｄが固設される。携帯マット１Ａは第一実施形態で示した携帯マット１Ａと同じ構成要素で構成され、断熱体２Ａの上端部を形成する小断熱体２（２ａ）の内側の壁面の上部の中央の水平方向にベルト５に設けられた面ファスナー４ｄに対応する位地に長方形の面ファスナー４ｃが固設され、クーラー魚籠本体Ｂ１の底面と接触する小断熱体２（２ａ）の外側の端部の長手方向に面ファスナー４ｄが固設される。
【０２８７】
断熱体２Ａの上端部を形成する小断熱体２（２ａ）が垂直に立てられた状態で、ベルト５がクーラー魚籠本体Ｂ１の壁面に設けられた一対のベルト環５ｂの間に通され、断熱体２Ａの上端部を形成する小断熱体２（２ａ）の壁面の上部の水平方向に設けられた面ファスナー４ｃとベルト５の中央部の水平方向に設けられた面ファスナー４ｄが接合される。
【０２８８】
さらに、クーラー魚籠本体Ｂ１の底面の外側の端部の水平方向の長手方向に設けられた面ファスナー４ｃと断熱体２Ａのクーラー魚籠本体Ｂ１の底面と接触する小断熱体２（２ａ）の外側の端部の水平方向の長手方向に設けられた面ファスナー４ｄが接合されることで、クーラー魚籠Ｂと携帯マット１Ａｄが脱着自在に接合される。
【０２８９】
携帯マット１Ａの上端部を形成する小断熱体２（２ａ）の内側の壁面の上部の中央の水平方向にベルト５に設けられた面ファスナー４ｄに対応する位地に面ファスナー４ｃが固設され、ベルト５の水平方向に面ファスナー４ｃに対応する面ファスナー４ｄが固設されるので、ベルト５が一対のベルト環５ｂに通された状態であっても携帯マット１Ａとクーラー魚籠Ｂが脱着自在に接合される。この実施形態の携帯マット１Ａの他の効果は第三十三実施形態における携帯マット１Ａｂと同様の効果がある。
【実施例３６】
【０２９０】
この発明の第三十六実施形態を、図５５、図５６に示す。
図５５はこの発明の第三十六実施形態を示す携帯マット１Ａｈがクーラー魚籠Ｂに脱着自在に取り付けられたことを示す斜視図、図５６は携帯マット１Ａｈがクーラー魚籠Ｂに脱着自在に取り付けられたことを示す側面図である。図５５に示すように、携帯マット１Ａｈはベルト５と断熱体２Ａ（２Ａｈ）から構成され、断熱体２Ａ（２Ａｈ）は上端部を形成する小断熱体２（２ａｈ）と、この小断熱体２（２ａｈ）と連結される複数の小断熱体２（２ａ）から形成される。
【０２９１】
小断熱体２（２ａｈ）が縦方向に折れ曲がり、小断熱体２（２ａｈ）と小断熱体２（２ａ）の壁面同士が接触することができる程度に薄肉を残して、断熱体２Ａ（２Ａｈ）の壁面の水平方向に、一定の切り込み３がされることにより、小断熱体２（２ａｈ、２ａ）が形成され、同時に小断熱体２（２ａｈ）と小断熱体２（２ａ）の間に連結部Ｒ（Ｒａ）が形成され、小断熱体２（２ａｈ）と複数の小断熱体２（２ａ）が連結される。
【０２９２】
折り畳まれた断熱体２Ａ（２Ａｈ）は水平方向に置かれ、断熱体２Ａ（２Ａｈ）の上端部を形成する小断熱体２（２ａｈ）が垂直に立てられたＬ字状の状態で、小断熱体２（２ａｈ）の壁面の上部の中央部に一対の縦長状の穴ｎａが形成され、これら一対の穴ｎａの下端から小断熱体２（２ａｈ）の下端の垂直方向に切り込み３ｂ（９）がなされ、これら一対の切り込み３ｂ（９）の下端から小断熱体２（２ａｈ）の両端の水平方向に向かって切り込み３ｃ（９）がなされることで、小断熱体２（２ａｈ）の両端に一対の略方形の切出し部Ｋが形成される。
【０２９３】
図５６に示すように、クーラー魚籠Ｂは第二十六実施形態で示したクーラー魚籠Ｂと同じ構成要素で構成され、クーラー魚籠本体Ｂ１の底面の外側の端部の水平方向の長手方向に沿って面ファスナー４ｃが固設され、断熱体２Ａ（２Ａｈ）の上端部を形成する小断熱体２（２ａｈ）の上端部の両端部に方形の面ファスナー４ａが固設され、小断熱体２（２ａｈ）と連結される小断熱体２（２ａ）の表面の外側の両端部に方形の面ファスナー４ｂが固設される。
【０２９４】
腰部に取り付けることができる一定の長さで形成されたベルト５がクーラー魚籠Ｂの一対のベルト環５ｂに通された状態で、図５５に示すように、蛇腹状に折り畳まれた断熱体２Ａ（２Ａｈ）の上端部を形成する小断熱体２（２ａｈ）が垂直に立てられ、一対の切出し部Ｋが手前に引かれるか、又は奥の方に押し出されることで小断熱体２（２ａｈ）と一対の切出し部Ｋの間に隙間９が形成され、これら一対の隙間９にベルト５が挿入され、同時に一対のベルト環５ｂが一対の縦長状の穴ｎａに挿入される。
【０２９５】
さらに、図５６に示すように、クーラー魚籠本体Ｂ１の底面の外側の端部の長手方向に設けられた面ファスナー４ｃと断熱体２Ａ（２Ａｈ）の上端部を形成する小断熱体２（２ａｈ）と連結される小断熱体２（２ａ）の外側の両端部に固設された一対の面ファスナー４ｂが接合されることで携帯マット１Ａｈとクーラー魚籠Ｂが脱着自在に接合される。
【０２９６】
携帯マット１Ａｈの他の構成要素は、第一実施形態における携帯マット１Ａと同じ構成要素である。携帯マット１Ａｈの上端部を形成する小断熱体２（２ａｈ）の両端部に切出し部Ｋが設けられるのでクーラー魚籠Ｂを構成するベルト環５ｂにベルト５が通された状態でも、携帯マット１Ａｈとクーラー魚籠Ｂが脱着自在に接合される。この実施形態の携帯マット１Ａｈの他の効果は第三十三実施形態における携帯マット１Ａｂと同様の効果がある。
【実施例３７】
【０２９７】
この発明の第三十七実施形態を、図５７、図５８に示す。図５７は、この発明の第三十七実施形態を示す携帯マット１Ａｋがクーラー魚籠Ｂに脱着自在に取り付けられた状態を示す斜視図、図５８はこの実施形態の携帯マット１Ａｋの平面図である。
【０２９８】
図５７に示すように、クーラー魚籠Ｂは第二十六実施形態で示したクーラー魚籠Ｂと同じ構成要素で構成され、クーラー魚籠Ｂを構成するクーラー魚籠本体Ｂ１の壁面に固設された一対のベルト環５ｂにベルト５が通された状態で、縦長の平板状の携帯マット１Ａｋを構成する断熱体２Ａ（２Ａｋ）の上端部を形成する小断熱体２（２ａｋ）が垂直に立てられた状態で、クーラー魚籠Ｂと携帯マット１Ａｅが脱着自在に接合される。
【０２９９】
図５８に示すように、縦長の平板状の携帯マット１Ａｋは断熱体２Ａ（２Ａｋ）から構成され、断熱体２Ａ（２Ａｋ）は断熱体２Ａ（２Ａｋ）の上端部を形成する小断熱体２（２ａｋ）と、この小断熱体２（２ａｋ）と連結される複数の小断熱体２（２ａ）から形成される。
【０３００】
小断熱体２（２ａｋ）が縦方向に折れ曲がり、小断熱体２（２ａｋ）と小断熱体２（２ａ）の壁面同士が接触することができる程度に薄肉を残して、断熱体２Ａ（２Ａｋ）の壁面の水平方向に、一定の切り込み３がされることにより、小断熱体２（２ａｋ、２ａ）が形成される。同時に、小断熱体２（２ａｋ）と小断熱体２（２ａ）の間に連結部Ｒ（Ｒａ）が形成され、小断熱体２（２ａｋ）と複数の小断熱体２（２ａ）が連結される。
【０３０１】
断熱体２Ａ（２Ａｋ）の上端部を形成する小断熱体２（２ａｋ）は上端の壁面の両端部に一対の切り欠き１０ｃが形成され、これら切り欠き１０ｃの間の壁面に横長状の穴ｎｂが形成される。携帯マット１Ａｋの他の構成要素は、第一実施形態における携帯マット１Ａと同じ構成要素である。
【０３０２】
図５７に示すように、クーラー魚籠Ｂを構成するクーラー魚籠本体Ｂ１の壁面に固設された一対のベルト環５ｂにベルト５が通された状態で、断熱体２Ａ（２ａｋ）の上端部を形成する小断熱体２（２ａｋ）が垂直に立てられ、小断熱体２（２ａｋ）の両端部に設けられた一対の切り込み１０ｃにクーラー魚籠本体Ｂ１の壁面に設けられたベルト環５ｂが挿入される。
【０３０３】
次に、ベルト５と断熱体２Ａ（２Ａｋ）の上端部を形成する小断熱体２（２ａｋ）の上端部が合わせられた状態で、この小断熱体２（２ａｋ）の一対の切り欠き１０ｃの間に設けられた横長状の穴ｎｂに長方形の基布８が通され、基布８の両端部に設けられた長方形の面ファスナー４ｃと４ｄが接合され、ベルト５と断熱体２Ａ（２Ａｋ）の上端部を形成する小断熱体２（２ａｋ）が固定されることで、魚籠Ｂと断熱体２Ａ（２Ａｋ）が連結される。
【０３０４】
さらに、クーラー魚籠Ｂの底面の外側の端部の水平方向の長手方向に設けられた面ファスナー４ｃと小断熱体２（２ａｋ）と連結される小断熱体２（２ａ）のクーラー魚籠本体Ｂ１の底面と接触する外側の両端部に設けられた面ファスナー４ｂが接合することで、クーラー魚籠Ｂと携帯マット１Ａｋが脱着自在に接合される。
【０３０５】
クーラー魚籠Ｂはクーラー魚籠本体Ｂ１に固設された一対のベルト環５ｂにベルト５が通された状態であっても、断熱体２Ａ（２Ａｋ）の上端部を形成する小断熱体２（２ａｋ）の上端の両端部に形成された一対の切り欠き１０ｃにクーラー魚籠Ｂ１の壁面に設けられたベルト環５ｂが挿入され、小断熱体２（２ａｋ）の上部の中央に形成された横長の穴ｎｂに両端部に面ファスナー４ｃと４ｄが固設された基布８が挿入されて、ベルト５と小断熱体２（２ａｋ）が接合され、携帯マット１Ａｋをクーラー魚籠Ｂに脱着自在に接合できる。この実施形態の携帯マット１Ａｋの他の効果は第三十三実施形態における携帯マット１Ａｂと同様の効果がある。
【実施例３８】
【０３０６】
この発明の第三十八実施形態を、図５９、図６０に示す。図５９は、この発明の第三十八実施形態を示す携帯マット１Ａｍがクーラー魚籠Ｂに脱着自在に取り付けられた状態を示す斜視図、図６０はこの実施形態の携帯マット１Ａｍの平面図である。
【０３０７】
図５９に示すように、クーラー魚籠Ｂは第二十六実施形態で示したクーラー魚籠Ｂと同じ構成要素で構成され、クーラー魚籠Ｂを構成するクーラー魚籠本体Ｂ１の壁面に固設された一対のベルト環５ｂにベルト５が通された状態で、縦長の平板状の携帯マット１Ａｍを構成する断熱体２Ａ（２Ａｍ）の上端部を形成する小断熱体２（２ａｍ）が垂直に立てられた状態で、クーラー魚籠Ｂと携帯マット１Ａｍが脱着自在に接合される。
【０３０８】
図６０に示すように、縦長の平板状の携帯マット１Ａｍは断熱体２Ａ（２Ａｍ）から構成され、断熱体２Ａ（２Ａｍ）は断熱体２Ａ（２ａｍ）の上端部を形成する小断熱体２（２ａｍ）と、この小断熱体２（２ａｍ）と連結される複数の小断熱体２（２ａ）から形成される。
【０３０９】
小断熱体２（２ａｍ）が縦方向に折れ曲がり、小断熱体２（２ａｍ）と小断熱体２（２ａ）の壁面同士が接触することができる程度に薄肉を残して、断熱体２Ａ（２Ａｍ）の壁面の水平方向に、一定の切り込み３がされることにより、小断熱体２（２ａｍ、２ａ）が形成される。同時に、小断熱体２（２ａｍ）と小断熱体２（２ａ）の間に連結部Ｒ（Ｒａ）が形成され、小断熱体２（２ａｍ）と複数の小断熱体２（２ａ）が連結される。
【０３１０】
断熱体２Ａ（２Ａｍ）の上端部を形成する小断熱体２（２ａｍ）は上端の両端部に一対の縦長の長方形の切り欠き１０ｂが形成され、小断熱体２（２ａｍ）の壁面の上部のこれら一対の切り欠き１０ｂの間の上下の位置に一対の横長状の穴ｎｂが形成される。携帯マット１Ａｍの他の構成要素は、第一実施形態における携帯マット１Ａと同じ構成要素である。
【０３１１】
図５９に示すように、クーラー魚籠Ｂは第二十六実施形態と同じ構成要素で構成され、クーラー魚籠本体Ｂ１の壁面に固設された一対のベルト環５ｂにベルト５が通された状態で、断熱体２Ａ（２Ａｍ）の上端部を形成する小断熱体２（２ａｍ）が垂直に立てられ、小断熱体２（２ａｍ）の両端部に設けられた一対の切り込み１０ｂにクーラー魚籠本体Ｂ１の壁面に設けられたベルト環５ｂが挿入される。
【０３１２】
この状態で、ベルト５と断熱体２Ａ（２Ａｍ）の上端部を形成する小断熱体２（２ａｍ）の両端部に形成された一対の切り欠き１０ｂの間の上下に設けられた一対の横長状の穴ｎｂに長方形の基布８が通され、この基布８の両端部に設けられた長方形の面ファスナー４ｃと４ｄが接合されることで、ベルト５と断熱体２Ａ（２Ａｍ）の上端部を形成する小断熱体２（２ａｍ）が固定され、魚籠Ｂと断熱体２Ａ（２Ａｍ）が連結される。
【０３１３】
さらに、クーラー魚籠Ｂの底面の外側の端部の水平方向の長手方向に設けられた面ファスナー４ｃと小断熱体２（２ａｍ）と連結される小断熱体２（２ａ）のクーラー魚籠Ｂの底面と接触する外側の両端部に設けられた面ファスナー４ｂが接合することで、クーラー魚籠Ｂと携帯マット１Ａｍが脱着自在に接合される。
【０３１４】
図５９に示すように、クーラー魚籠Ｂはクーラー魚籠本体Ｂ１に固設された一対のベルト環５ｂにベルト５が通された状態であっても、断熱体２Ａ（２Ａｍ）の上端部を形成する小断熱体２（２ａｍ）の上端の両端部に形成された一対の切り欠き１０ｂにクーラー魚籠Ｂ１の壁面に設けられたベルト環５ｂが挿入され、小断熱体２（２ａｍ）の上部の中央に形成された一対の横長の穴ｎｂに両端部に面ファスナー４ｃと４ｄが固設された基布８が挿入されて、ベルト５と小断熱体２（２ａｋ）が接合され、携帯マット１Ａｋをクーラー魚籠Ｂに脱着自在に接合できる。この実施形態の携帯マット１Ａｍの他の効果は第三十三実施形態における携帯マット１Ａｂと同様の効果がある。
【実施例３９】
【０３１５】
この発明の第三十九実施形態を、図６１、図６２に示す。図６１は、この発明の第三十九実施形態を示す携帯マット１Ａの裏面の平面図、図６２は、この実施形態の携帯マット１Ａが人体に取り付けられた実施形態を示す斜視図である。
【０３１６】
図６１に示すように、この実施形態の携帯マット１Ａは第一実施形態で示した携帯マット１Ａと同じ構成要素で構成され、断熱体２Ａの上端部を形成する小断熱体２（２ａ）の裏面の壁面の中央部の上部に方形の基布８が固設され、この基布８の裏面の上端部の水平方向に長方形の面ファスナー４ｃが固設され、下部の両端、又は中央の垂直方向に長方形の面ファスナー４ｅが固設される。
【０３１７】
図６２に示すように、この実施形態の携帯マット１Ａが折り畳まれた状態で、断熱体２Ａの上部に設けられ、上端部の水平方向に設けられる長方形の面ファスナー４ｃと下部の両端、又は中央の垂直方向に設けられた面ファスナー４ｅが内側になる状態の基布８でベルト５が挟まれる。
【０３１８】
その時に、基布８の上端部の水平方向に設けられた面ファスナー４ｃと基布８の下部の両端、又は中央の垂直方向に設けられる面ファスナー４ｅが合わされことで基布８がベルト５に脱着自在に取り付けられ、同時に携帯マット１Ａがベルトに脱着自在に取り付けられる。
【０３１９】
この場合、ベルト５が人体の腰部に取り付けられた状態であっても携帯マット１Ａを脱着自在に取り付けることができ、さらに、ベルト５が基布８で挟まれた状態で、基布８の下部の垂直方向の両端、又は中央に設けられた長方形の面ファスナー４ｅと、基布８の上端部の水平方向に設けられた面ファスナー４ｃと接合する上下の位置により基布８の垂直方向の長さを変えることができる。
【実施例４０】
【０３２０】
この発明の第四十実施形態を、図６３に示す。図６３は、この発明の第四十実施形態を示す携帯マット１Ｃがクーラー魚籠Ｂに脱着自在に取り付けられた状態を示す斜視図である。
【０３２１】
携帯マット１Ｃは第四実施形態で示した携帯マット１Ｃと同様の構成要素から構成され、断熱体２Ｃ（２Ｃｂ）は上端部を形成する小断熱体２（２ｃｃ）と連結される複数の横長の長方形平板状の小断熱体２（２ｃ）と連結部Ｒ（Ｒｃ）から形成される。第四実施形態で示したように、断熱体２Ｃ（２Ｃｂ）は基布８が縫製などで縦長の長方形状の袋体に形成され、この袋体の開口部から横長の長方形平板状の複数の発泡体が挿入され、これら複数の発泡体の間の袋体の表裏の基布８が縫合されることで複数の小断熱体２（２ｃｃ、２ｃ）に形成される。
【０３２２】
図６３に示すように、クーラー魚籠Ｂは第二十六実施形態で示したクーラー魚籠Ｂと同じ構成要素で構成され、クーラー魚籠Ｂを構成するクーラー魚籠本体Ｂ１の壁面に固設された一対のベルト環５ｂにベルト５が通された状態で、縦長の平板状の携帯マット１Ｃを構成する断熱体２Ｃ（２Ｃｂ）の上端部を形成する小断熱体２（２ｃｃ）が垂直に立てられた状態で、クーラー魚籠Ｂと携帯マット１Ｃが脱着自在に接合される。
【０３２３】
断熱体２Ｃ（２Ｃｂ）の上端部を形成する小断熱体２（２ｃｃ）は上端の両端部に一対の縦長の長方形の切り欠き１０ｂが形成される発泡体が基布８で縫製され、小断熱体２（２ｃｃ）の壁面の上端小口に形成された一対の切り欠き１０ｂの中央部に、縦長の長方形で上端部の水平方向に長方形の面ファスナー４ｃが固設され、下部の両端、又は中央の垂直方向に長方形の面ファスナー４ｅが固設された基布８の下部が固設される。
【０３２４】
さらに、断熱体２Ｃ（２Ｃｂ）の上端部を形成する小断熱体２（２ｃｃ）の一対の切り欠き１０ｂに、クーラー魚籠本体Ｂ１の内側の壁面に設けられ、ベルト５が通された状態の一対のベルト環５ｂが挿入され、ベルト５が基布８で挟まれた状態で、基布８の下部の両端、又は中央の垂直方向に固設された長方形の面ファスナー４ｅと基布の上端部の水平方向に固設された長方形の面ファスナー４ｃが接合される
【０３２５】
さらに、クーラー魚籠Ｂの底面の外側の端部の水平方向の長手方向に設けられた面ファスナー４ｃと小断熱体２（２ｃｃ）と連結される小断熱体２（２ｃ）のクーラー魚籠Ｂの底面と接触する下部の両端部に設けられた面ファスナー４ｂが接合することで、クーラー魚籠Ｂと携帯マット１Ｃｂが脱着自在に接合される。
【０３２６】
図６３に示すように、クーラー魚籠Ｂはクーラー魚籠本体Ｂ１に固設された一対のベルト環５ｂにベルト５が通された状態であっても、脱着自在に携帯マット１Ｃをクーラー魚籠Ｂに取り付けることができる。
この実施形態の携帯マット１Ｃの他の効果は第三十三実施形態における携帯マット１Ａｂと同様の効果がある。
【実施例４１】
【０３２７】
この発明の第四十一実施形態を、図６４、図６５に示す。図６４はこの発明の第四十一実施形態を示す携帯マット１Ａにベルト５が取り付けられたことを示す平面図、図６５はこの発明の第四十一実施形態を示す携帯マット１Ａにベルト５が取り付けられたことを示す側面図である。
【０３２８】
図６４に示すように、この実施形態の携帯マット１Ａは第一実施形態で示した携帯マット１Ａと同じ構成要素で構成され、断熱体２Ａの上端部を形成する小断熱体２（２ａ）の裏面の壁面の中央部の上部に方形の基布８が固設され、この基布８の表面の両端部、又は中央部の上端から下端の垂直方向に、フックとループを兼ね備えた面ファスナー４ｐが固設される。
【０３２９】
ベルト５の中央部の水平方向にフックとループを兼ね備えた面ファスナー４ｐが固設され、基布８の表面の両端部、又は中央部の上端から下端の垂直方向に固設された面ファスナー４ｐとベルト５の中央部の水平方向に固設された面ファスナーが合わされることで、携帯マット１Ａがベルト５に脱着自在に接合される。
【０３３０】
図６５に示すように、ベルト５の中央部の水平方向に面ファスナー４ｐが固設されるので基布８でベルト５を挟むことなく携帯マット１Ａをベルト５に取付けることができる。
そのため、基布８の長さは少なくともベルト５の巾の倍以上の必要はなくとも良い。
【０３３１】
ベルト５の中央部の水平方向に固設された面ファスナー４ｐと基布の表面の両端部、又は中央部の上端から下端の垂直方向に固設された面ファスナー４ｐが接合されことで、携帯マット１Ａがベルト５に固定され、同時に脱着自在に取り付けられる
「他の実施形態１」
【０３３２】
第十七実施形態に於いて、図２８、図２９、図３０に示すように、Ｔ字型の携帯マット１Ｒを形成する平板状の連結断熱体１１Ｇは、上部を構成する断熱体２Ｅ（２Ｅｂ）、中間部を構成する断熱体断熱体２Ｅ（２Ｅｃ）、下端部を構成する断熱体２Ｅ（２Ｅｄ）から構成され、これら断熱体２Ｅ（２Ｅｂ、２Ｅｃ、２Ｅｄ）は全て片面の壁面に基布８が固設されて形成されたが、他の実施形態に於いて、連結断熱体１１Ｇを構成する断熱体２Ｅ（２Ｅｂ、２Ｅｃ、２Ｅｄ）は、図６に示す第四実施形態実施形態における断熱体２Ｃのように基布８が縫合されることにより形成されても良い。
【０３３３】
携帯マット１Ｒの上端部を構成する横長の長方形平板状の断熱体２Ｅ（２Ｅｂ）は、基布８が縫製などで横長の長方形平板状の袋体に形成され、この袋体の開口部から縦長の長方形平板状の複数の発泡体が挿入され、袋体の表裏の基布８が縫合されることで複数の縦長の長方形平板状の小断熱体２（２ｅｅ、２ｅｊ、２ｅｇ、２ｅｈ）が形成され、同時にこれらの小断熱体２（２ｅｅ、２ｅｊ、２ｅｇ、２ｅｈ）を連結する連結部Ｒ（Ｒｃ）が形成され、開口部が縫製され、袋体が閉じられることで、断熱体２Ｅ（２Ｅｂ）が形成される。
【０３３４】
携帯マット１Ｒの中間部を構成する横長の逆Ｔ字型平板状の断熱体２Ｅ（２Ｅｃ）は、基布８が縫製などで横長の長方形平板状の袋体に形成され、この袋体の開口部から縦長の長方形平板状の複数の発泡体が挿入され、袋体の表裏の基布８が縫合されることで複数の縦長の長方形平板状の小断熱体２（２ｅｊ、２ｅｋ、２ｅｍ）が形成され、両端部の下部に方形の発泡体に基布８で縫合された小断熱体２（２ｅｎ）の裏側で内側の側面が縫製され、同時に、これらの小断熱体２（２ｅｊ、２ｅｋ、２ｅｍ、２ｅｎ）を連結する連結部Ｒ（Ｒｃ）が形成され、開口部が縫製され、袋体が閉じられることで、断熱体２Ｅ（２Ｅｂ）が形成される。
る。
【０３３５】
携帯マット１Ｒの下端部を構成する縦長の長方形開板状の断熱体２Ｅ（２Ｅｄ）は、基布８が縫製などで縦長の長方形平板状の袋体に形成され、この袋体の開口部から横長の長方形平板状の複数の発泡体が挿入され、袋体の表裏の基布８が縫合されることで複数の縦長の長方形平板状の小断熱体２（２ｅｄ、２ｅｃ、２ｅｂ）が形成され、同時にこれらの小断熱体２（２ｅｅ、２ｅｊ、２ｅｇ、２ｅｈ）を連結する連結部Ｒ（Ｒｃ）が形成され、開口部が縫製され、袋体が閉じられることで、断熱体２Ｅ（２Ｅｄ）が形成される。
「他の実施形態２」
【０３３６】
第十七実施形態に於いて、図２８、図２９、図３０に示すように、Ｔ字型の携帯マット１Ｒを形成する平板状の連結断熱体１１Ｇは、上部を構成する断熱体２Ｅ（２Ｅｂ）、下端部を構成する断熱体２Ｅ（２Ｅｄ）から構成され、これら断熱体２Ｅ（２Ｅｂ、２Ｅｄ）は表裏の両壁面に方形の面ファスナー４ａ、又は４ｂが固設されたが、他の実施形態に於いて、面ファスナー４ａ、又は４ｂは連結断熱体１１Ｇを構成する断熱体２Ｅ（２Ｅｂ、２Ｅｄ）の表裏の両壁面に固設されないものでもよい。
「他の実施形態３」
【０３３７】
第三十九実施形態に於いて、図６１に示すように、断熱体２Ａの上端部を形成する小断熱体２（２ａ）の壁面に固設された基布８は、壁面の上端部の水平方向に長方形の面ファスナー４ｃが固設され、下部の両端、又は中央の垂直方向に長方形の面ファスナー４ｅが固設された。
【０３３８】
しかし、他の実施形態に於いて、基布８は下端部の水平方向に長方形の面ファスナー４ｃが固設され、上部の両端、又は中央の垂直方向に長方形の面ファスナー４ｅが固設されるものでも良い。
「他の実施形態４」
【０３３９】
又は、他の実施形態に於いて、基布８は上部の水平方向に複数の長方形の面ファスナー４ｃが固設され、下部の水平方向に複数の長方形の面ファスナー４ｄが固設されるものでも良い。
「他の実施形態５」
【０３４０】
又は、他の実施形態に於いて、基布８は上部の水平方向に長方形の面ファスナー４ｃが固設され、下部の水平方向に長方形の面ファスナー４ｄが固設されるものでも良い。
「他の実施形態６」
【０３４１】
又は、他の実施形態に於いて、基布８は上部の両端、又は中央の垂直方向に長方形の面ファスナー４ｅが固設され、下部の両端、又は中央の垂直方向に長方形の面ファスナー４ｆが固設されるものでも良い。
「他の実施形態７」
【０３４２】
第三十九実施形態に於いて、図６１に示すように、基布８は断熱体２Ａの上端部を形成する小断熱体２（２ａ）の中央部の上部に方形の一枚の基布８が固設されたが、他の実施形態に於いて、図６６に示すように、基布８は断熱体２Ａの上端部を形成する小断熱体２（２ａ）の中央部の上部に縦長の長方形の二枚の基布８が固設されるものでも良い。
【０３４３】
図６６に示すように、断熱体２Ａの上端部を形成する小断熱体２（２ａ）の中央部の上部に固設された一対の基布８は上端部の水平方向に長方形の面ファスナー４ｃが固設され、下部の両端の垂直方向に長方形の面ファスナー４ｅが固設される。
「他の実施形態８」
【０３４４】
又は、他の実施形態に於いて、基布８は断熱体２Ａの上端部を形成する小断熱体２（２ａ）の中央部の上部に縦長の長方形の二枚の基布８が固設され、これらの基布８の下端部の水平方向に長方形の面ファスナー４ｃが固設され、上部の両端の垂直方向に長方形の面ファスナー４ｅが固設されるものでも良い。
「他の実施形態９」
【０３４５】
又は、他の実施形態に於いて、基布８は断熱体２Ａの上端部を形成する小断熱体２（２ａ）の中央部の上部に縦長の長方形の二枚の基布８が固設され、これらの基布８の上部の水平方向に複数の長方形の面ファスナー４ｃが固設され、下部の水平方向に複数の長方形の面ファスナー４ｄが固設されるものでも良い。
「他の実施形態１０」
【０３４６】
又は、他の実施形態に於いて、基布８は断熱体２Ａの上端部を形成する小断熱体２（２ａ）の中央部の上部に縦長の長方形の二枚の基布８が固設され、これらの基布８の上部の水平方向に長方形の面ファスナー４ｃが固設され、下部の水平方向に長方形の面ファスナー４ｄが固設されるものでも良い。
【０３４７】
この発明の第一実施形態から第四十実施形態に於いて、小断熱体同士、又は連結断熱体における断熱体同士の脱着自在の接合、リュック又はクーラー魚籠と断熱体、又は連結断熱体の脱着自在の接合、又はベルト５と断熱体の脱着自在の接合に於いて、接合部品は面ファスナー（４ａ、４ｂ、４ｃ、４ｄ、４ｄｂ、４ｅ、４ｆ、４ｈ、４ｊ）とし、記号が違う面ファスナーは脱着自在であるとしたが、他の実施形態に於いて接合部品は、ボタン、磁石、特殊粘着剤などを用いても良い。
【産業上の利用可能性】
【０３４８】
災害時の防災用マット、登山、ウォーキング、キャンプ、ピクニック、農作業、釣り、狩猟などの野外活動、のアウトドアでの利用が考えられる。
【０３４９】
特に、本発明の第十七実施形態における携帯マットは横長の長方形の四角立方体の形状で身体に取付けられた状態から、尻当て、簡易マット、防災頭巾を含む人体の背面を防御する防災用マットという形態の変化で形態を容易に変化させることができ、多目的の防災用マットとしての利用価値が高く、主に四つの利用目的が考えられる。
【０３５０】
第一の利用目的は、携帯マットがどのような形状であっても水に浮かぶということであり、人間は体重の十分の一の浮力で浮かぶとされ、本発明の携帯マットは十分にその浮力を得ることができるので、フロートとして津波対策に有効である。
【０３５１】
第二の利用目的は、急変する災害場所に於いて、身体に取付けたままの状態の携帯マットを携帯に最適な横長の長方形の四角立方体の形状から尻当てとしての形状に容易に変化させることができ、さらに、身体に取付けたままの状態の携帯マットを尻当てとしての形状から携帯に最適な横長の長方形の四角立方体の形状に容易に変化させることができるので、携帯マットを尻当てとして避難途中の休息に役立てることができる。
【０３５２】
第三の利用目的は、急変する災害場所に於いて、身体に取付けたままの状態の携帯マットを携帯に最適な横長の長方形の四角立方体の形状、又は尻当ての形状から防災頭巾を含む背面を保護する防災用マットとしての形状に容易に変化させることができ、さらに、身体に取付けたままの状態の携帯マットを防災頭巾を含む防災用マットの形状から携帯に最適な横長の長方形の四角立方体の形状、又は尻当ての形状に容易に変化させることができるので、携帯マットを防災頭巾を含む防災マットとして利用することができる。
【０３５３】
第四の利用目的は、災害時の急変する避難場所に於いて、身体に取付けたままの状態の携帯マットを携帯に最適な横長の長方形の四角立方体の形状、尻当ての形状、又は防災頭巾を含む防災マットの形状から枕を含む簡易マットの形状に容易に変化させることができ、さらに、身体に取付けたままの状態の携帯マットを枕を含む簡易マットの形状から携帯に最適な横長の長方形の四角立方体の形状、尻当ての形状、又は防災頭巾を含む防災マットの形状に容易に変化させることができるので、携帯マットを枕を含む簡易マットとして利用することができる。
【０３５４】
この発明の第十三実施形態における断熱体２Ｆ（２Ｆｂ）は、第十七実施形態における携帯マットの補助マットとして最適であり、断熱体２Ｆ（２Ｆｂ）を形成する複数の小断熱体２（２ｆｂ）の中央部に形成された縦長状の穴ｎａに第十七実施形態の図３０で示したベルト５が通され、人体の前面で固定されることで、さらに浮力を増すための補助用のフロートとして利用され、断熱体２Ｆ（２Ｆｂ）を形成する複数の小断熱体２（２ｆｂ）が上下に展開された状態で使用される場合は、少なくとも人体の前面を防御する防災用マットとして利用される。
【符号の説明】
【０３５５】
１Ａ、１Ａｂ、１Ａｃ、１Ａｄ、１Ａｇ、１Ａｈ、１Ａｋ、１Ａｍ、1Ｂ、1Ｃ、１Ｃｂ、
１Ｄ、１Ｅ、１Ｆ、１Ｇ、１Ｈ、１Ｋ、１Ｌ、１Ｍ、１Ｐ、１Ｑ、１Ｒ、１Ｓ  
携帯マット  ２Ａ、２Ａ（２Ａｂ、２Ａｃ、２Ａｄ、２Ａｅ、２Ａｇ、２Ａｈ、２Ａｋ、
２Ａｍ）、２Ｂ、２Ｂ（２Ｂｂ、２Ｂｃ）、２Ｃ、２Ｃ（２Ｃｂ）、２Ｄ、２Ｅ、
２Ｅ（２Ｅｂ、２Ｅｃ、２Ｅｄ）、２Ｆ、２Ｆ（２Ｆｂ）、２Ｇ、２Ｈ  断熱体  
２（２ａ、２ａｂ、２ａｃ、２ａｄ、２ａｅ、２ａｆ、２ａｇ、２ａｈ、２ａｋ、
２ａｍ、２ｂ、２ｂｂ、２ｂｃ、２ｃ、２ｃｂ、２ｃｃ、２ｄ、２ｅ、２ｅｂ、２ｅｃ、
２ｅｄ、２ｅｅ、２ｅｆ、２ｅｇ、２ｅｈ、２ｅｊ、２ｅｋ、２ｅｍ、２ｅｎ、２ｆ、
２ｆｂ、２ｇ）  小断熱体  ３、３ｂ、３ｃ切り込み  ４ａ、４ｂ、４ｃ、４ｄ、
４ｄｂ、４ｄｃ、４ｅ、４ｆ、４ｈ、４ｊ、４ｋ、４ｋｂ、４ｍ、４ｎ、４ｐ
面ファスナー  ５  ベルト  ５Ｓ  肩ベルト  ５ｂ  ベルト環  ６  空気通路
７  空気栓  ８  基布  ９  隙間  １０ａ、１０ｂ、１０ｃ  切り欠き  １１Ａ、
１１Ｂ、１１Ｃ１１Ｄ、１１Ｅ、１１Ｆ、１１Ｇ、１１Ｈ  連結断熱体  Ｋ  切出し部  
Ｒ（Ｒａ、Ｒｂ、Ｒｂｂ、Ｒｃ、Ｒｄ）  連結部  ＢＫ  バックル  ｎ、ｎａ、ｎｂ  穴  
Ｓリュック  Ｓ１  リュック本体  Ｍｅ  金属板  Ｂ  クーラー魚籠  Ｂ１  
クーラー魚籠本体  Ｂ２  クーラー魚籠上蓋  Ｈ  反射板  Ｐ  ポケット
【図１】
0005645208.tif 000002
【図２】
0005645208.tif 000003
【図３】
0005645208.tif 000004
【図４】
0005645208.tif 000005
【図５】
0005645208.tif 000006
【図７】
0005645208.tif 000007
【図８】
0005645208.tif 000008
【図９】
0005645208.tif 000009
【図１０】
0005645208.tif 000010
【図１１】
0005645208.tif 000011
【図１２】
0005645208.tif 000012
【図１５】
0005645208.tif 000013
【図１６】
0005645208.tif 000014
【図１７】
0005645208.tif 000015
【図１８】
0005645208.tif 000016
【図２０】
0005645208.tif 000017
【図２２】
0005645208.tif 000018
【図２４】
0005645208.tif 000019
【図２６】
0005645208.tif 000020
【図２７】
0005645208.tif 000021
【図２８】
0005645208.tif 000022
【図２９】
0005645208.tif 000023
【図３０】
0005645208.tif 000024
【図３１】
0005645208.tif 000025
【図４１】
0005645208.tif 000026
【図５８】
0005645208.tif 000027
【図６０】
0005645208.tif 000028
【図６２】
0005645208.tif 000029
【図６】
0005645208.tif 000030
【図１３】
0005645208.tif 000031
【図１４】
0005645208.tif 000032
【図１９】
0005645208.tif 000033
【図２１】
0005645208.tif 000034
【図２３】
0005645208.tif 000035
【図２５】
0005645208.tif 000036
【図３２】
0005645208.tif 000037
【図３３】
0005645208.tif 000038
【図３４】
0005645208.tif 000039
【図３５】
0005645208.tif 000040
【図３６】
0005645208.tif 000041
【図３７】
0005645208.tif 000042
【図３８】
0005645208.tif 000043
【図３９】
0005645208.tif 000044
【図４０】
0005645208.tif 000045
【図４２】
0005645208.tif 000046
【図４３】
0005645208.tif 000047
【図４４】
0005645208.tif 000048
【図４５】
0005645208.tif 000049
【図４６】
0005645208.tif 000050
【図４７】
0005645208.tif 000051
【図４８】
0005645208.tif 000052
【図４９】
0005645208.tif 000053
【図５０】
0005645208.tif 000054
【図５１】
0005645208.tif 000055
【図５２】
0005645208.tif 000056
【図５３】
0005645208.tif 000057
【図５４】
0005645208.tif 000058
【図５５】
0005645208.tif 000059
【図５６】
0005645208.tif 000060
【図５７】
0005645208.tif 000061
【図５９】
0005645208.tif 000062
【図６１】
0005645208.tif 000063
【図６３】
0005645208.tif 000064
【図６４】
0005645208.tif 000065
【図６５】
0005645208.tif 000066
【図６６】
0005645208.tif 000067